(57)【特許請求の範囲】
【請求項１】
支持体には扉体が回転可能に枢支され、前記扉体が前記支持体に対して閉じられた状態で、前記支持体または扉体のいずれか一方に設けられた鉤部が、前記支持体または扉体のいずれか他方に設けられた被係止部に係止されることにより、前記扉体の開放が抑止される遊技機の施錠装置において、
前記鉤部を有し、前記鉤部が前記被係止部に係止する施錠位置および前記鉤部と前記被係止部との係止関係が断たれる解錠位置の間を移動可能な係止部材と、
該係止部材の解錠位置から施錠位置への移動に連動して可動するとともに、前記係止部材が所定位置に到達したところで、前記係止部材の施錠位置から解錠位置への移動を規制するロック部材と、
前記係止部材に連係する連係過程または前記係止部材との連係が断たれる非連係過程のいずれかに正転または逆転して回転位置変位するとともに、前記連係過程において正転することで前記解錠位置から施錠位置まで係止部材を移動させる回転体と、
該回転体を正転または逆転させる回転動力を付与する駆動モーターと、
該駆動モーターを駆動または停止させる駆動モーター制御手段と、
前記回転体が連係過程または非連係過程のいずれにあるかを検出する回転体位置検出手段と、
前記鉤部が被係止部に係止可能な範囲にあるか否かを検出する扉体状態検出手段と、
遊技機への電力供給が開始されたとき、前記回転体位置検出手段の検出状況により前記回転体が前記連係過程または非連係過程のいずれにあるのかを判別するとともに、前記扉体状態検出手段の検出状況により前記鉤部が被係止部に係止可能な範囲にあるか否かを判別する電源復旧時判別手段と、を備え、
前記駆動モーター制御手段は、
予め設定された正転信号の入力によって、前記駆動モーターを駆動して前記回転体を正転させることにより前記係止部材を解錠位置から施錠位置へ移動させ、
前記電源復旧時判別手段によって、前記回転体が前記連係過程にあり、かつ、前記鉤部が被係止部に係止可能な範囲にあると判別されたとき、前記施錠位置まで前記駆動モーターを正転させ、
前記電源復旧時判別手段によって、前記回転体が前記連係過程にあり、かつ、前記鉤部が被係止部に係止できない範囲にあると判別されたとき、前記非連係過程まで前記駆動モーターを逆転させることを特徴とする遊技機の施錠装置。
【発明の詳細な説明】
【技術分野】
【０００１】
本発明は、遊技盤やガラス等を保持した扉体を支持体に施錠するための遊技機の施錠装置に関する。
【背景技術】
【０００２】
一般的な遊技機においては、遊技盤を保持する遊技盤保持枠や、遊技盤の前面を覆うガラスなどからなる透過部材を保持する透過部材保持枠等の扉体が支持体に枢支されており、何らかの不具合が生じた際には、扉体（遊技盤保持枠や透過部材保持枠）を開放してメンテナンスが行われる。こうした遊技機には、遊技者が扉体を無断で開放して不正が行われないように、当然のことながら施錠装置が設けられている。
そして、特許文献１には、扉体の開閉をモーターの駆動力によって行う遊技機が開示されている。この遊技機のように、モーターの駆動力によって施錠を行えば、遊技盤やガラス等の重たい部材を保持する枠体を、確実に支持体に密着させることができる。
【先行技術文献】
【特許文献】
【０００３】
【特許文献１】特開２００７−３１９５３６号公報
【発明の概要】
【発明が解決しようとする課題】
【０００４】
上記の遊技機の施錠装置においては、モーターの駆動力によって施錠が行われるため、例えば、モーターによる施錠動作中に、電力供給が断たれたり、あるいは扉体が支持体に対してしっかりと閉じられていなかったりすると、施錠が中途半端になってしまうおそれがある。近年においては、扉体の開放状態を検出するマイクロスイッチが設けられており、扉体の開放が検出された場合には異常を報知する遊技機が広く採用されているが、施錠が中途半端な状態では、扉体と支持体との間にがたつきが生じて隙間ができる程度であり、マイクロスイッチが扉体の開放状態を検知することができない可能性がある。
このように、モーターの駆動力によって施錠を行う遊技機の施錠装置においては、施錠が中途半端になって扉体と支持体との間に隙間が生じるとともに、この隙間から工具等を侵入させて不正が行われるおそれがあった。
【０００５】
本発明は、モーターの駆動力によって施錠を行う際に、施錠が中途半端になってしまうことがない遊技機の施錠装置を提供することを目的とする。
【課題を解決するための手段】
【０００６】
本発明は、支持体には扉体が回転可能に枢支され、前記扉体が前記支持体に対して閉じられた状態で、前記支持体または扉体のいずれか一方に設けられた鉤部が、前記支持体または扉体のいずれか他方に設けられた被係止部に係止されることにより、前記扉体の開放が抑止される遊技機の施錠装置を前提とする。
【０００７】
上記の構成を前提として、請求項１に記載の発明は、前記鉤部を有し、前記鉤部が前記被係止部に係止する施錠位置および前記鉤部と前記被係止部との係止関係が断たれる解錠位置の間を移動可能な係止部材と、該係止部材の解錠位置から施錠位置への移動に連動して可動するとともに、前記係止部材が所定位置に到達したところで、前記係止部材の施錠位置から解錠位置への移動を規制するロック部材と、前記係止部材に連係する連係過程または前記係止部材との連係が断たれる非連係過程のいずれかに正転または逆転して回転位置変位するとともに、前記連係過程において正転することで前記解錠位置から施錠位置まで係止部材を移動させる回転体と、該回転体を正転または逆転させる回転動力を付与する駆動モーターと、該駆動モーターを駆動または停止させる駆動モーター制御手段と、前記回転体が連係過程または非連係過程のいずれにあるかを検出する回転体位置検出手段と、前記鉤部が被係止部に係止可能な範囲にあるか否かを検出する扉体状態検出手段と、遊技機への電力供給が開始されたとき、前記回転体位置検出手段の検出状況により前記回転体が前記連係過程または非連係過程のいずれにあるのかを判別するとともに、前記扉体状態検出手段の検出状況により前記鉤部が被係止部に係止可能な範囲にあるか否かを判別する電源復旧時判別手段と、を備え、前記駆動モーター制御手段は、予め設定された正転信号の入力によって、前記駆動モーターを駆動して前記回転体を正転させることにより前記係止部材を解錠位置から施錠位置へ移動させ、前記電源復旧時判別手段によって、前記回転体が前記連係過程にあり、かつ、前記鉤部が被係止部に係止可能な範囲にあると判別されたとき、前記施錠位置まで前記駆動モーターを正転させ、前記電源復旧時判別手段によって、前記回転体が前記連係過程にあり、かつ、前記鉤部が被係止部に係止できない範囲にあると判別されたとき、前記非連係過程まで前記駆動モーターを逆転させることを特徴とする。
【０００９】
本発明の扉体は、支持体に回転可能に枢支されるものを広く含むものであり、その詳細な構造や形状、あるいは役割等は限定されない。したがって、例えば、扉体は、遊技盤を保持するものであってもよいし、遊技盤の前面を覆う透過部材保持枠であってもよい。また、これらとは別の部材を保持した枠であってもよいし、さらには枠体にも限らない。
また、支持体に対する扉体の枢支は、ヒンジ等の何らかの部材を介して実現してもよいし、あるいは両者の一部を接合させて実現してもよい。このとき、扉体が支持体に直接枢支されるようにしてもよいし、他の部材や部品を介して間接的に枢支されるようにしてもよい。
【００１０】
本発明において、係止部材および被係止部の構造や形状は特に限定されない。いずれにしても、係止部材が可動可能に設けられ、その可動によって係止部材の一部である鉤部が被係止部に係止して、扉体の開放が抑止されるものであればよい。したがって、孔や凹み、あるいは扉体または支持体に一体または別部材で設けられた突起等も、本発明の被係止部に相当する。
また、本発明において、ロック部材は、係止部材の施錠位置から解錠位置への移動を規制したり許容したりする。ロック部材は、少なくとも、係止部材の解錠位置から施錠位置への移動に連動して可動すればよく、施錠位置から解錠位置への係止部材の移動に必ずしも連動して可動する必要はない。また、係止部材の施錠位置から解錠位置への移動が規制された状態から、その移動を許容する場合には、ロック部材を可動させる必要があるが、その可動の態様や方法は特に限定されず、ロック部材の形状や構造、取り付け位置等は特に限定されない。
【発明の効果】
【００１１】
本発明によれば、回転体の位置変位状況を検出することにより、係止部材の動作状況や位置状況が判別可能となり、これにより遊技機の施錠動作状態が把握可能となる。また、鉤部が被係止部に係止可能な範囲にあるか否か、すなわち、扉体の開閉状態を検出するとともに、この扉体の開閉状態と施錠動作状態とに基づいて、駆動モーターを駆動または停止させる。したがって、扉体の開閉状態と施錠動作状態とから、施錠が中途半端になりうると判断した場合に、駆動モーターを所定の態様に駆動させることで、完全な施錠状態や解錠状態を創出することができる。これにより、施錠が中途半端になることがなくなり、隙間から工具を侵入させる等の不正行為を防止することが可能となる。
【図面の簡単な説明】
【００１２】
【図１】遊技機の正面図である。
【図２】透過部材保持枠の開放状態を示す斜視図である。
【図３】遊技機の側面図である。
【図４】透過部材保持枠の背面図である。
【図５】錠機構の中立状態を示す斜視図である。
【図６】鍵をｘ方向に回転させたときの錠機構の状態を示す斜視図である。
【図７】鍵をｙ方向に回転させたときの錠機構の状態を示す斜視図である。
【図８】遊技盤保持枠の側面を部分的に拡大した図である。
【図９】透過部材保持枠に遊技盤保持枠を保持する過程を示す簡易説明図である。
【図１０】透過部材保持枠および遊技盤保持枠が互いに保持された状態の背面図である。
【図１１】錠機構が中立状態にあるときの遊技盤保持枠の背面を部分的に拡大した斜視図である。
【図１２】鍵をｙ方向に回転させたときの遊技盤保持枠の背面を部分的に拡大した斜視図である。
【図１３】支持体を部分的に拡大して簡易的に示した断面図である。
【図１４】支持体に遊技盤保持枠を保持する過程を示す簡易説明図である。
【図１５】解錠位置にある係止部材と、透過部材保持枠を支持体に対して閉じた状態の錠機構との関係を示す図である。
【図１６】図１５を部分的に拡大した斜視図である。
【図１７】施錠位置にある係止部材と、透過部材保持枠を支持体に対して閉じた状態の錠機構との関係を示す図である。
【図１８】図１７を部分的に拡大した斜視図である。
【図１９】係止孔に鉤部材が係止する過程を説明する図である。
【図２０】駆動モーターを模して示した説明図である。
【図２１】駆動モーターと係止部材との連係部分を示す部分拡大図である。
【図２２】駆動モーターと係止部材との連係およびロック部材の退避位置から抑止位置への移動を示す説明図である。
【図２３】駆動モーターの駆動を制御する制御手段のブロック図である。
【図２４】施錠制御基板における割込処理を示す図である。
【図２５】施錠制御基板における入力制御処理を示す図である。
【図２６】施錠制御基板における施錠操作検出スイッチ入力処理を示す図である。
【図２７】施錠制御基板における扉体開閉検出スイッチ入力処理を示す図である。
【図２８】施錠制御基板における連係始点検出スイッチ入力処理を示す図である。
【図２９】施錠制御基板における連係終点検出スイッチ入力処理を示す図である。
【図３０】施錠制御基板における原点検出スイッチ入力処理を示す図である。
【図３１】施錠制御基板における電断割込処理を示す図である。
【図３２】施錠制御基板における電源投入時処理を示す図である。
【発明を実施するための形態】
【００１３】
以下、本発明の実施形態について図面を参照しながら具体的に説明する。
図１に示すように、遊技機１は、支持体２と、この支持体２に回転可能に枢支された扉体３とを備えている。支持体２は、上板２ａ、下板２ｂ、側板２ｃ，２ｄによって四辺を構成する枠体からなる。各板２ａ〜２ｄは、変形や歪みが生じにくい木材等を材質とするもので、略長方形状に囲繞空間が形成されるように連結金具によって連結されている。
そして、これら連結金具のうち、上板２ａと側板２ｃとを連結する金具および側板２ｃと下板２ｂとを連結する金具には、一対のヒンジ４ａ，４ｂが、遊技機１の前面側に突出した位置で対面するように固定されている。
【００１４】
そして、一対のヒンジ４ａ，４ｂには、扉体３が回転可能に枢支されている。扉体３は、支持体２に対して開閉可能となるものであり、本実施形態においては、透過部材保持枠５と遊技盤保持枠６とによって扉体３が構成されている。なお、図１は、支持体２に対して透過部材保持枠５が開放され、遊技盤保持枠６が支持体２に対して閉じられた状態を示している。これら透過部材保持枠５および遊技盤保持枠６は、その背面の一部または全部を支持体２の前面に接触させ、支持体２、透過部材保持枠５および遊技盤保持枠６が略平行となる閉位置から、上記背面が支持体２の前面から離間した開位置まで回転する。
【００１５】
透過部材保持枠５は、支持体２と同様に、上辺５ａ、下辺５ｂ、側辺５ｃ，５ｄからなる四辺によって略長方形状の囲繞空間が形成される枠体からなり、後述する遊技盤１７の前面を覆う透過部材７が囲繞空間に固定される。本実施形態においては、透明のガラス板によって透過部材７を構成しているが、この透過部材７を介して後述する遊技盤１７が見えるものであれば、その材質や形状は特に問わず、例えば合成樹脂等によって構成してもよい。また、透過部材保持枠５の材質も特に問わないが、軽量化や装飾性の向上の目的から合成樹脂性とすることが望ましく、特にこの場合には補強金具８を固定して歪みや変形を防止するとよい。
【００１６】
なお、図２に示すように、遊技機１の前面すなわち透過部材保持枠５の前面には、装飾ランプ９、遊技球を発射するための操作ハンドル１０、払い出された賞球を溜める上皿１１、スピーカー１２が固定されている。また、図１に示すように、上記の補強金具８や、上皿１１に賞球を送球する供給路１３、装飾ランプ９の照射方向を変更するためのモーター等を制御する制御基板１４が、遊技機１の背面側に位置するように設けられている。
図１および図２からも明らかなように、透過部材保持枠５の上辺５ａおよび下辺５ｂは、支持体２の上板２ａおよび下板２ｂと長さを等しくしており、透過部材保持枠５を閉じて、支持体２および透過部材保持枠５が略平行になったとき（透過部材保持枠５が閉位置にあるとき）に、上辺５ａが上板２ａに、側辺５ｃ，５ｄが側板２ｃ，２ｄに、それらの外周面が面一の状態で重なる。したがって、遊技機１を正面から見たときに、支持体２の上板２ａおよび側板２ｃ，２ｄは、透過部材保持枠５に覆われて見えなくなる。ただし、側辺５ｃ，５ｄは、側板２ｃ，２ｄよりも短く形成されており、支持体２の下板２ｂが遊技機１の正面側に露出する。支持体２の下板２ｂは、上板２ａや側板２ｃ，２ｄに比べて厚く形成されており、その正面側に装飾部材１５が固定されている。
【００１７】
そして、透過部材保持枠５には、側辺５ｃの上方に突出する枢支軸１６ａ、および側辺５ｃの下方に突出する枢支軸１６ｂが固定されており、枢支軸１６ａがヒンジ４ａに、枢支軸１６ｂがヒンジ４ｂに回転可能に枢支されている。これにより、透過部材保持枠５が支持体２に対して開閉可能に支持されることとなる。なお、透過部材保持枠５を支持体２に回転可能に枢支する構造は上記に限らず、例えば、透過部材保持枠５の側辺５ｃの一部を凸状に形成し、この凸状部分をヒンジ４ａ，４ｂや支持体２に直接嵌合させて枢支するようにしてもよい。
【００１８】
また、ヒンジ４ａ，４ｂには、透過部材保持枠５と同様に、遊技盤保持枠６が回転可能に枢支されている。図１に示すように、遊技盤保持枠６は、上辺６ａ、下辺６ｂ、側辺６ｃ，６ｄからなる四辺によって略長方形状の囲繞空間が形成される枠体からなり、この囲繞空間に図２に示す遊技盤１７が固定される。遊技盤１７の前面には、複数の釘や風車、遊技球が入球可能な各種の入賞口、演出用の役物等が設けられており、その略中央部分に形成された孔に演出用の液晶表示装置１８が固定されている。透過部材保持枠５および遊技盤保持枠６が閉じられて遊技が可能な状態では、遊技盤１７に所定の間隔を維持して略平行に透過部材７が対面するとともに、遊技盤１７の前面が透過部材７によって覆われる。
説明の都合上、図１においては遊技盤１７を省略しているが、遊技盤１７の背面には遊技の進行を制御するさまざまな制御基板が固定されている。また、遊技盤保持枠６において、遊技盤１７の固定位置の下方には、スピーカー１９や、操作ハンドル１０の操作に応じて遊技領域に遊技球を発射する発射装置２０等が固定され、その背面にはさらに各種の制御基板が固定されている。
【００１９】
ここで、遊技盤保持枠６は、支持体２および透過部材保持枠５に比べて一回り小さく形成されている。より詳細には、上辺６ａ、下辺６ｂ、側辺６ｃ，６ｄは、透過部材保持枠５の上辺５ａ、下辺５ｂ、側辺５ｃ，５ｄよりもそれぞれ少しずつ短く形成されている。また、透過部材保持枠５の上辺５ａおよび側辺５ｄは、透過部材保持枠５が閉じる方向に厚さを有しており、これら上辺５ａおよび側辺５ｄが、透過部材７や補強金具８よりも背面側に突出するようにしている。そして、透過部材保持枠５を閉じた状態では、遊技盤保持枠６の上辺６ａおよび側辺６ｄが、支持体２および透過部材保持枠５よりも内側に収容される。また、図３に示すように、透過部材保持枠５が閉じられた状態では、上辺５ａの背面と上板２ａの前面とが接触し、側辺５ｄの背面と側板２ｄの前面とが接触する寸法関係を維持している。したがって、遊技盤保持枠６は、支持体２および透過部材保持枠５の内側に位置して、少なくとも遊技機１の上方および側方（側辺５ｄ側）から見えなくなる。
【００２０】
上記の構成からなる透過部材保持枠５および遊技盤保持枠６は、施錠機構によって支持体２に施錠されるが、その構造について以下に説明する。
図４は、透過部材保持枠５の背面を簡略化して示した平面図である。透過部材保持枠５の背面には、側辺５ｄの長手方向に沿って金属板２１が固定されている。この金属板２１には、本発明の被係止部を構成する被係止孔２２が形成されている。詳しくは後述するが、この被係止孔２２に、支持体２に設けられた鉤部材７８の鉤片８２が掛け止められることにより、透過部材保持枠５が支持体２に施錠される（図１７参照）。
なお、被係止孔２２は金属板２１を貫通しているが、透過部材保持枠５の平面やこの平面に設けられた装飾用の部材等により、遊技機１の正面からは被係止孔２２が見えないようになっている（図２参照）。
【００２１】
また、金属板２１の下部位置すなわち透過部材保持枠５の開放側の背面には、錠機構３０が設けられている。この錠機構３０は、透過部材保持枠５の前面側から所定の鍵を操作することにより、図５〜図７に示すように可動する。
図５は、錠機構３０の中立状態を示している。金属板２１に固定された固定板３１にはシリンダＳ（図５においては不図示、図１５〜図１８参照）が設けられており、このシリンダＳに形成された鍵穴３２を透過部材保持枠５の前面に露出させている（図２参照）。このシリンダＳにはピン３３が連結しており、鍵穴３２に所定の鍵を挿入して回転させると、ピン３３が回転するとともに、このピン３３に固定された回転部材３４が回転する。
【００２２】
また、固定板３１には、ガイドピン３５が３つ固定されており、これらガイドピン３５によって、前板３６、中板３７、後板３８が積層状態で挟持されている。そして、前板３６の下部位置にはフック３６ａが設けられ、後板３８の上部位置には上記フック３６ａに対面するようにフック３８ａが設けられ、これら両フック３６ａ，３８ａ間にスプリング３９が架け渡されている。前板３６は、スプリング３９の弾性力によって図中上方に引っ張られ、長穴３６ｂの下辺がガイドピン３５に当接したところで図示のように静止している。また、後板３８は、スプリング３９の弾性力によって図中下方に引っ張られ、長穴３８ｂの上辺がガイドピン３５に当接したところで図示のように静止している。
なお、中板３７は、ガイドピン３５に固定されており、スプリング３９や鍵の操作によって移動することはない。
【００２３】
そして、前板３６、中板３７、後板３８には、その中央部を大きく貫通させた孔が形成されており、この孔に連続するように切り欠き部３６ｃ〜３８ｃが形成されている。上記の回転部材３４は、これら前板３６、中板３７、後板３８の孔および切り欠き部３６ｃ〜３８ｃ内に位置するようにしている。なお、図示のとおり、錠機構３０の中立状態においては、回転部材３４の先端に設けられた起立壁３４ａが、前板３６の切り欠き部３６ｃの下辺に当接し、後板３８の切り欠き部３８ｃの上辺に当接している。
また、前板３６および後板３８は、長穴３６ｂおよび長穴３８ｂの範囲内で上下方向に可動可能であるが、図示の中立状態においては、前板３６は可動範囲の中でもっとも上方に位置し、後板３８は可動範囲の中でもっとも下方に位置している。
【００２４】
図示の中立状態から、鍵穴３２に所定の鍵を挿入して図中ｘ方向に回転させると、図６に示すように、ピン３３と一体となって回転部材３４が回転する。回転部材３４がｘ方向に回転すると、スプリング３９の弾性力に抗して、起立壁３４ａが後板３８の切り欠き部３８ｃ上辺を図中上方に押し上げる。このとき、回転部材３４は、中立状態にある前板３６の切り欠き部３６ｃの範囲内で回転するので、前板３６は図示のとおり静止したままである。
【００２５】
一方、錠機構３０の中立状態から、鍵穴３２に所定の鍵を挿入して図中ｙ方向に回転させると、図７に示すように、ピン３３と一体となって回転部材３４が回転する。回転部材３４がｙ方向に回転すると、スプリング３９の弾性力に抗して、起立壁３４ａが前板３６の切り欠き部３６ｃ下辺を図中下方に押し下げる。このとき、回転部材３４は、中立状態にある後板３８の切り欠き部３８ｃの範囲内で回転するので、後板３８は図示のとおり静止したままである。
なお、図６または図７に示すように、後板３８が上方に押し上げられた状態または前板３６が下方に押し下げられた状態で、鍵穴３２に挿入された鍵から手を離すと、スプリング３９の弾性力によって、前板３６および後板３８は図５に示す中立状態に復帰する。
【００２６】
そして、金属板２１には、透過部材保持枠５（遊技盤保持枠６）に遊技盤保持枠６（透過部材保持枠５）を保持するための第１保持手段４０が設けられている。この第１保持手段４０は、後板３８に一体に形成された第１保持部材４０ａと、金属板２１に設けられた第１ガイド４０ｂとからなり、第１保持部材４０ａは第１ガイド４０ｂに沿って、後板３８とともに図５に示す中立状態から図６に示すように上方に移動する。
また、図８に示すように、遊技盤保持枠６には、側辺６ｄの前面であって上記第１保持手段４０に対面する位置に透過部材保持枠掛け止め片５０が設けられている。この透過部材保持枠掛け止め片５０は、先端から基端に向かって上方に傾斜する傾斜面５０ａと、この傾斜面５０ａに連続するとともに、側辺６ｄの前面と平行な保持面５０ｂとを有している。
【００２７】
そして、透過部材保持枠５と遊技盤保持枠６とを互いに近づけると、言い換えれば透過部材保持枠５を遊技盤保持枠６に対して閉じると、図９（ａ）に示すように、透過部材保持枠５に設けられた第１保持手段４０の第１保持部材４０ａに、透過部材保持枠掛け止め片５０の傾斜面５０ａが接触する。
この状態で、透過部材保持枠５を遊技盤保持枠６にさらに押し付けると、図９（ｂ）に示すように、透過部材保持枠掛け止め片５０の傾斜面５０ａに沿って第１保持部材４０ａが上方に移動する。上述のとおり、第１保持部材４０ａは後板３８に一体成形されているため、第１保持部材４０ａが上方に移動すると、後板３８もスプリング３９の弾性力に抗して一体的に上方に移動する。つまり、第１保持部材４０ａと傾斜面５０ａとの間に生じる抵抗力と、スプリング３９の弾性力との合成力以上の押圧力で透過部材保持枠５を遊技盤保持枠６に押し付けることにより、第１保持部材４０ａは、傾斜面５０ａに沿うようにして上方に移動する。
そして、第１保持部材４０ａが傾斜面５０ａの終端にまで到達すると、今度はスプリング３９の弾性力と自重によって後板３８と一体的に第１保持部材４０ａが下方に押し下げられる。これにより、図９（ｃ）に示すように、透過部材保持枠掛け止め片５０の保持面５０ｂと、遊技盤保持枠６の側辺６ｄの前面との間に第１保持部材４０ａが進入し、透過部材保持枠５に遊技盤保持枠６が保持されることとなる。
【００２８】
このように、透過部材保持枠５に遊技盤保持枠６が保持された状態においては、保持面５０ｂと第１保持部材４０ａとによって、透過部材保持枠５を遊技盤保持枠６に対して開くことができなくなる。
これに対して透過部材保持枠５および遊技盤保持枠６を互いに開放する場合には、図９（ｃ）に示す状態から、鍵穴３２に挿入した鍵を上記ｘ方向に回転させ、後板３８を上方に押し上げたまま透過部材保持枠５を開けばよい（図６）。後板３８が上方に押し上げられると、これと一体となって第１保持部材４０ａが上方に移動して透過部材保持枠掛け止め片５０の移動軌跡上から退避し、透過部材保持枠５を遊技盤保持枠６に対して開くことができる。
なお、図５〜図７に示すように、後板３８には、透過部材保持枠５を閉じる方向（透過部材保持枠５の背面）に垂直に起立する解錠阻止片４１が設けられている。この解錠阻止片４１には、上方から下方に向かって徐々に起立高さが高くなるように、阻止面４１ａが形成されている。この阻止面４１ａは、透過部材保持枠５が支持体２に施錠された状態で、後板３８が上方に移動するのを阻止するために設けられているが、その詳細については後述する。
【００２９】
また、前板３６には、上記の解錠阻止片４１と同様に、透過部材保持枠５を閉じる方向に垂直に起立するロック解除片４２が設けられている。このロック解除片４２には、上方から下方に向かって徐々に起立高さが低くなるように、解除面４２ａが形成されている。この解除面４２ａは、解錠阻止片４１の阻止面４１ａに対して、その厚さ分だけずらした位置において臨んでおり、図５に示す中立状態から後板３８を上方に押し上げたり、あるいは前板３６を下方に押し下げたりすると、解除面４２ａと阻止面４１ａとの対向間隔が小さくなる。なお、この解除面４２ａと阻止面４１ａとの間には、後述するロック部材８４が両面４２ａ，４１ａに臨むようにして位置することとなるが、その詳細については後述する。
さらに、前板３６には、ロック解除片４２の下方に保持解除片４３が設けられている。この保持解除片４３は、遊技盤保持枠６の背面に設けられた第２保持手段５２に連係するもので、前板３６と一体となって図５に示す位置から図７に示す位置まで移動する。
【００３０】
図１０〜図１２を用いて、保持解除片４３および第２保持手段５２について説明する。
図１０は、図９（ｃ）に示すように、透過部材保持枠５の背面に設けられた第１保持手段４０に、遊技盤保持枠６の前面に設けられた透過部材保持枠掛け止め片５０が掛け止められた状態を、遊技盤保持枠６の背面側から見た図である。つまり、透過部材保持枠５と遊技盤保持枠６とが所定の間隔を維持して略平行に対面した状態を、遊技盤保持枠６の背面側から見た図である。ただし、図１０においては、遊技盤１７や、遊技盤保持枠６に取り付けられるスピーカー１９、発射装置２０等を省略している。
すでに説明したとおり、遊技盤保持枠６は透過部材保持枠５よりも一回り小さく形成されており、しかも、側辺６ｄ側の外縁を一部切り欠いて、透過部材保持枠５に設けられた金属板２１の被係止孔２２，２２が露出するようにしている。
また、遊技盤保持枠６の側辺６ｄ側下部には貫通孔５１が形成されており、この貫通孔５１を、透過部材保持枠５の背面に設けられた錠機構３０の解除阻止片４１、ロック解除片４２、保持解除片４３が貫通し、遊技盤保持枠６の背面側に露出するようにしている。
【００３１】
そして、図１１に示すように、遊技盤保持枠６の背面には、貫通孔５１に隣接するように第２保持手段５２が設けられている。この第２保持手段５２は、遊技盤保持枠６の側辺６ｄに沿って設けられた第２ガイド５３と、この第２ガイド５３に沿って上下方向に移動する第２保持部材５４とを備えている。また、第２保持部材５４は、第２ガイド５３よりも下方に突出した後、貫通孔５１側に向かって屈曲するＬ型先端部５４ａを有している。なお、第２保持手段５２には、第２保持部材５４を上方に押し上げるように弾性力を付与する不図示のスプリングが設けられている。
図１１は、錠機構３０の中立状態すなわち前板３６の中立状態を示しているが、この中立状態において、前板３６に設けられた保持解除片４３の下辺に、Ｌ型先端部５４ａが接触している。
【００３２】
そして、図１１に示す状態から、鍵穴３２に鍵を挿入してｙ方向に回転させると、前板３６と一体となってロック解除片４２および保持解除片４３が下方へ移動する（図７）。すると、図１２に示すように、保持解除片４３がＬ型先端部５４ａを下方へ押し下げて、第２保持部材５４が第２ガイド５３に沿って下方へ移動する。
また、図１３（ａ）は、支持体２の側板２ｄを上方から見た状態を簡易的に示した部分断面図であり、図１３（ｂ）は、支持体２の側板２ｄを外方から見た状態を簡易的に示した部分側面図である。この図に示すように、支持体２には、側板２ｄの内側面であって上記第２保持手段５２に対面する位置に遊技盤保持枠掛け止め片６０が設けられている。この遊技盤保持枠掛け止め片６０は、先端から基端に向かって下方に傾斜する傾斜面６０ａと、この傾斜面６０ａに連続するとともに側板２ｄの長手方向に沿った保持面６０ｂとを有している。
【００３３】
そして、図１４（ａ）に示すように、遊技盤保持枠６が開いた状態から遊技盤保持枠６を支持体２に近づけると、言い換えれば、遊技盤保持枠６を支持体２に対して閉じると、図１４（ｂ）に示すように、遊技盤保持枠６の背面に設けられた第２保持手段５２の第２保持部材５４に、遊技盤保持枠掛け止め片６０の傾斜面６０ａが接触する。
この状態で、遊技盤保持枠６を支持体２にさらに押し付けると、図１４（ｃ）に示すように、遊技盤保持枠掛け止め片６０の傾斜面６０ａに沿って第２保持手段５２の第２保持部材５４が下方に移動する。つまり、第２保持部材５４と傾斜面６０ａとの間に生じる抵抗力と、第２保持部材５４に対して上方に作用するスプリングの弾性力との合成力以上の押圧力で遊技盤保持枠６を支持体２に押し付けることにより、第２保持部材５４は、傾斜面６０ａに沿うようにして下方に移動する。
【００３４】
そして、図１４（ｃ）に示すように、第２保持部材５４が傾斜面６０ａの終端にまで到達すると、今度はスプリングの弾性力によって第２保持部材５４が上方に押し上げられる。これにより、図１４（ｄ）に示すように、遊技盤保持枠掛け止め片６０の保持面６０ｂに、第２保持部材５４が掛け止められる。したがって、遊技盤保持枠６は、支持体２に対して開くことができなくなる。
これに対して遊技盤保持枠６を支持体２に対して開く場合には、図１４（ｄ）に示す状態で、鍵穴３２に挿入した鍵を上記ｙ方向に回転させ、前板３６を下方に押し下げたまま遊技盤保持枠６を開けばよい。前板３６が下方に押し下げられると、これと一体となって第２保持手段５２の第２保持部材５４が下方に移動するとともに、第２保持部材５４が遊技盤保持枠掛け止め片６０の移動軌跡上から退避して、遊技盤保持枠６を支持体２に対して開くことができる（図７、図１２）。
【００３５】
上記したように、第２保持手段５２に遊技盤保持枠掛け止め片６０が掛け止められることで遊技盤保持枠６を支持体２に対して開くことができなくなり、第１保持手段４０に透過部材保持枠掛け止め片５０が掛け止められることで透過部材保持枠５と遊技盤保持枠６とを互いに開くことができなくなる。
ただし、これらの構造だけでは、工具等を使って容易に両枠５，６が開放されてしまう。本実施形態においては、上記の構造によって透過部材保持枠５や遊技盤保持枠６を仮止めしているに過ぎず、遊技機１の本来の施錠は、後述する係止部材７０によって行うようにしている。以下に、遊技機１の施錠つまり透過部材保持枠５および遊技盤保持枠６の支持体２に対する施錠について説明する。
【００３６】
図１５は、支持体２の側板２ｄ内側に固定される係止部材７０の正面図であるが、この図においては、透過部材保持枠５を支持体２に対して閉じた状態の金属板２１および錠機構３０を一体的に示している。
係止部材７０は、支持体２の側板２ｄ内側に、その長手方向に沿って固定されるガイド金具７１を備えている。このガイド金具７１には、平面７１ａよりも凹んだガイド溝７１ｂが、その長手方向に沿って形成されており、このガイド溝７１ｂに沿ってスライド部材７２がスライドするようにしている。
スライド部材７２は、その幅をガイド溝７１ｂの幅よりも僅かに狭く、かつ、ガイド金具７１よりも短く形成された細長形状の金属板によって構成されている。スライド部材７２には、長孔７３が複数形成されており、この長孔７３を貫通するように、ガイドピン７４がガイド金具７１に固定されている。したがって、スライド部材７２は、長孔７３の範囲内で上下方向にスライド可能となる。
【００３７】
また、ガイド金具７１の上部にはスプリングからなる付勢手段７５の一端が固定され、この付勢手段７５の他端がスライド部材７２に固定されている。スライド部材７２には、それを上方に引き上げる付勢手段７５の付勢力が常時作用しており、通常、平面部７１ａに固定されたストッパー７６に、スライド部材７２の段部７７が接触したところでスライド部材７２は静止している。
そして、ガイド金具７１の平面部７１ａには、所定の間隔をあけて一対の鉤部材７８が設けられている。図１６からも明らかなように、この鉤部材７８は、回動ピン７９によってガイド金具７１の平面部７１ａに回動可能に取り付けられている。また、鉤部材７８には、長孔８０が形成されており、この長孔８０を貫通するように、平面部７１ａにガイドピン８１が固定されている。したがって、鉤部材７８は、回動ピン７９を支点にして長孔８０の範囲内で回動可能となる。
なお、スライド部材７２には、鉤部材７８を上下方向から挟み込む挟持片８３ａ，８３ｂが設けられており、スライド部材７２が上下方向にスライドすると、挟持片８３ａ，８３ｂが鉤部材７８を押し上げたり押し下げたりして、鉤部材７８が回動することとなる。本実施形態においては、スライド部材７２および鉤部材７８が図１５および図１６に示すように静止する位置を係止部材７０の解錠位置という。
【００３８】
そして、鉤部材７８は、透過部材保持枠５の背面に固定された金属板２１の被係止孔２２を貫通する鉤片８２を有しており、この鉤片８２が被係止孔２２に係止することによって遊技機１の施錠が行われるようにしている。なお、本実施形態における鉤部材７８の鉤片８２が、本発明の鉤部を構成している。
【００３９】
さらに、係止部材７０には、ガイド金具７１の平面７１ａの下方であって錠機構３０に対面する位置にロック部材８４が設けられている。このロック部材８４は、回動ピン８５によって回動可能に平面７１ａに取り付けられている。ロック部材８４の下端には、スプリング８６の一端が取り付けられ、このスプリング８６の他端がスライド部材７２を跨ぐようにしてガイド金具７１の平面７１ａに取り付けられている。ロック部材８４には、スプリング８６の弾性力によって常に時計回り方向へ回動する力が付与されているが、係止部材７０が解錠位置にあるとき、ロック部材８４の下端に設けられたロック用突部８４ａが、スライド部材７２に設けられたロック片８７に接触する。これにより、ロック部材８４は、図示の位置で静止することとなる。なお、本実施形態においては、ロック部材８４の図示の位置を退避位置という。
【００４０】
そして、図１５および図１６に示すように、係止部材７０が解錠位置にある状態、すなわち鉤部材７８が非係止位置に、ロック部材８４が退避位置にある状態から、スライド部材７２が付勢手段７５の付勢力に抗して図中下方に押し下げられると、図１７および図１８に示す状態となる。
すなわち、スライド部材７２が下方に押し下げられると、挟持片８３ａが鉤部材７８に接触して、回動ピン７９を支点にして図１７および図１８に示す位置まで回動する。この鉤部材７８の回動過程で、鉤片８２が被係止孔２２に掛け止められるとともに、透過部材保持枠５が金属板２１と一体的に支持体２に引きつけられて施錠される。
【００４１】
より詳細には、図１９に示すように、鉤部材７８の鉤片８２には、鉤部材７８の回動過程で金属板２１の被係止孔２２に当接する当接面８２ａが設けられている。この当接面８２ａは、金属板２１すなわち透過部材保持枠５が閉じる方向に凸状に湾曲している。
そして、遊技機１を施錠する際には、まず、図１９（ａ）に示すように、鉤部材７８を非係止位置に位置させる。また、透過部材保持枠５を閉位置まで回転させ、鉤片８２が被係止孔２２を貫通するとともに、この被係止孔２２を当接面８２ａの移動軌跡上に進入させる。なお、支持体２に対して透過部材保持枠５を閉じるときに、金属板２１に鉤片８２が接触しないような寸法関係が維持されている。
【００４２】
この状態で、スライド部材７２を下方に押し下げると、図１９（ｂ）に示すように、鉤部材７８が回動して当接面８２ａが被係止孔２２に当接する。この状態から引き続きスライド部材７２を下方に押し下げると、図１９（ｃ）に示すように、被係止孔２２の下端すなわち金属板２１が当接面８２ａに沿って引き寄せられる。このとき、当接面８２ａは、透過部材保持枠５が閉じる方向に凸状に湾曲しているので、透過部材保持枠５が閉じる過程で金属板２１を引き寄せる力が徐々に強くなる。
【００４３】
そして、図１９（ｄ）に示すように、鉤片８２が完全に金属板２１の前面側に貫通したところでスライド部材７２が静止することにより、金属板２１すなわち透過部材保持枠５を支持体２に対して開くことができなくなり、遊技機１が施錠される。なお、図１９（ｄ）に示す位置が鉤部材７８の係止位置であり、このとき、透過部材保持枠５の上辺５ａおよび側片５ｄの背面は、支持体２の上板２ａおよび側板２ｄの前面に圧接している。つまり、被係止孔２２（金属板２１）が当接面８２ａによって支持体２に引き寄せられた状態で、遊技機１の施錠状態が維持されることとなる。
【００４４】
上記のように、遊技機１の施錠状態においては、被係止孔２２（金属板２１）が当接面８２ａによって引き寄せられており、透過部材保持枠５の背面が支持体２の前面に圧接したまま静止しているので、透過部材保持枠５と支持体２との隙間から工具を侵入させることができない。このように、透過部材保持枠５を閉位置に強固に維持できるのは、当接面８２ａが凸状に湾曲しており、被係止孔２２を引き寄せる力が徐々に増して、そのままの状態で当接面８２ａが静止するからである。ただし、当接面８２ａを凸状に湾曲させるのではなく、例えば、当接面８２ａを、被係止孔２２に接触する先端から基端にかけて、透過部材保持枠５が閉じる方向に傾斜させても、上記と同様に遊技機１の強固な施錠状態を維持することができる。
【００４５】
上記のように、鉤部材７８を非係止位置から係止位置まで回動させるのはスライド部材７２であるが、スライド部材７２が、図１５および図１６に示す位置から図１７および図１８に示す位置まで移動することで、鉤部材７８は非係止位置から係止位置まで回動する。本実施形態においては、スライド部材７２および鉤部材７８が、図１７および図１８に示すように静止する位置を係止部材７０の施錠位置という。
そして、係止部材７０が解錠位置にあるとき、ロック部材８４は図１５および図１６に示す退避位置にあるが、係止部材７０の移動過程において、ロック部材８４は、図１７および図１８に示す抑止位置まで移動する。
【００４６】
すなわち、図１６に示すように、係止部材７０が解錠位置にあるとき、ロック用突部８４ａがスライド部材７２のロック片８７に接触することにより、ロック部材８４は退避位置に静止している。この状態からスライド部材７２が図中下方へ移動すると、これと一体となってロック片８７が図中下方へ移動する。ロック部材８４には、スプリング８６によって、常時、時計回り方向に回動する力が付与されており、ロック片８７が図１８に示す位置まで移動すると、スプリング８６の弾性力によってロック部材８４が時計回り方向に回動し、ロック片８７の移動軌跡上にロック用突部８４ａが進入する。このようにしてロック用突部８４ａがロック片８７の上方に移動すると、ロック用突部８４ａによって、ロック片８７すなわちスライド部材７２の上方への移動が規制される。これにより遊技機１の施錠状態が維持されることとなる。
【００４７】
また、上記のロック用突部８４ａは、ロック部材８４の一端側に形成されているが、このロック部材８４の他端側にはロック解除用突片８４ｂが形成されている。このロック解除用突片８４ｂは、透過部材保持枠５が閉位置にあって施錠されているときに、解錠阻止片４１の阻止面４１ａとロック解除片４２の解除面４２ａとの対向間隔に位置する。つまり、ロック部材８４は、抑止位置にあるときに、ロック用突部８４ａによってスライド部材７２の上方への移動を規制するのと同時に、ロック解除片８４ｂを、解錠阻止片４１の阻止面４１ａとロック解除片４２の解除面４２ａとの対向間隔に位置させることとなる。
【００４８】
このロック解除片８４ｂは、遊技機１を解錠する際に機能するものである。以下に、遊技機１の解錠操作について説明する。図１８に示すように、鉤部材７８の鉤片８２が金属板２１の被係止孔２２に係止した遊技機１の施錠状態において、シリンダＳの鍵穴３２に所定の鍵を挿入して図中ｙ方向に回転させる。すると、鍵の操作に連動して錠機構３０の回転部材３４がｙ方向に回転するとともに、起立壁３４ａによって前板３６が図中下方に押し下げられる（図７）。前板３６が図中下方に押し下げられると、これと一体となってロック解除片４２および保持解除片４３が図中下方に押し下げられる。
【００４９】
図１５〜図１８では遊技盤保持枠６を省略しているが、遊技機１の施錠状態においては、透過部材保持枠５が支持体２に施錠されているとき、遊技盤保持枠６は、透過部材保持枠５と支持体２との間に収容された状態で透過部材保持枠５に保持されている。
そして、上記のようにして保持解除片４３が図中下方に押し下げられると、図１２に示すように、遊技盤保持枠６の背面に設けられた第２保持手段５２のＬ型先端部５４ａが下方に押し下げられる。このようにして第２保持部材５４が下方に押し下げられると、支持体２に設けられた遊技盤保持枠掛け止め片６０の掛け止め状態が解除される（図１３、図１４参照）。
【００５０】
また、図１８において、保持解除片４３が下方に押し下げられるのと一体となってロック解除片４２が下方に押し下げられると、解除面４２ａがロック部材８４のロック解除用突片８４ｂに接触する。つまり、シリンダＳの鍵穴３２に挿入した鍵をｙ方向に回転させると、その力がロック解除片４２の解除面４２ａからロック解除用突片８４ｂに伝達する。ロック解除片４２の解除面４２ａからロック部材８４のロック解除用突片８４ｂに力が伝達すると、スプリング８６の弾性力に抗して、ロック解除用突片８４ｂが解除面４２ａによって反時計回り方向に押し出される。これにより、ロック部材８４は、回動ピン８５を中心に反時計回り方向に回動するとともに、ロック用突部８４ａがロック片８７の移動軌跡上から退避して、図１６に示す退避位置に移動する。
【００５１】
このように、ロック部材８４が退避位置に移動すると、今度はスライド部材７２が付勢手段７５の付勢力によって図中上方に引き上げられる。スライド部材７２が図中上方に引き上げられると、その移動過程で挟持片８３ｂが鉤部材７８を図中下方から上方に押し上げるように作用する。したがって、鉤部材７８は、回動ピン７９を支点にして反時計回り方向に回動し、図示の非係止位置に移動する。
以上のように、遊技機１の施錠状態すなわち係止部材７０の施錠位置において、鍵穴３２に鍵を挿入してｙ方向に回転させると、ロック部材８４が抑止位置から退避位置へ移動するとともに、鉤部材７８が係止位置から非係止位置へ移動する。したがって、係止部材７０は、施錠位置から解錠位置へと移動することとなり、透過部材保持枠５を支持体２から開放することが可能となる。
【００５２】
上記の解錠操作は、透過部材保持枠５および遊技盤保持枠６を一体的に支持体２から開放するためのものであり、この解錠操作では、透過部材保持枠５と遊技盤保持枠６との保持は解除されない。つまり、遊技機１の施錠状態において、鍵穴３２に鍵を挿入してｙ方向に回転させると、必ず、透過部材保持枠５と遊技盤保持枠６との保持関係が維持されたまま、言い換えると、透過部材保持枠５と遊技盤保持枠６とが互いに閉じられたまま、一体となって支持体２から開放可能となる。
したがって、例えば、遊技盤１７の遊技領域において生じた球詰まりを解消したり、遊技盤１７に配設された釘等を調整したりするために、透過部材保持枠５と遊技盤保持枠６とを互いに開くためには、次の操作が必要となる。
【００５３】
すなわち、上記の解錠操作によって、まず、透過部材保持枠５および遊技盤保持枠６を一体的に支持体２から開放する。透過部材保持枠５および遊技盤保持枠６が一体的に支持体２から開放された状態で、今度は、図６に示すように、鍵穴３２に挿入した鍵をｘ方向に回転させて、後板３８を上方に押し上げる。これにより、遊技盤保持枠６の前面に位置する透過部材保持枠掛け止め片５０と（図８）、透過部材保持枠５の背面に位置する第１保持手段４０との保持関係が解消される。したがって、透過部材保持枠５と遊技盤保持枠６とを互いに開放することが可能となる。
【００５４】
一方で、本実施形態においては、遊技機１の施錠状態、すなわち透過部材保持枠５および遊技盤保持枠６が閉位置において施錠された状態では、鍵穴３２に挿入した鍵をｘ方向に回転させることができない。鍵をｘ方向に回転させると後板３８が上方に移動するとともに、これと一体となって解錠阻止片４１が上方に移動しようとする。しかしながら、図１８に示すような施錠状態では、解錠阻止片４１が上方に移動すると、阻止面４１ａがロック部材８４のロック解除用突片８４ｂに接触し、それ以上の移動が阻止されてしまう。このように、遊技機１の施錠状態では、後板３８が上方に移動することができないため、第１保持手段４０と透過部材保持枠掛け止め片５０との保持を解除することができず（図６、図８、図９）、透過部材保持枠５と遊技盤保持枠６とを互いに開くことができない。
つまり、上記のように、解錠阻止片４１が、ロック解除用突片８４ｂに対して、それを下方から上方へ押し上げるように作用しても、ロック部材８４は反時計回り方向に回転しないように設計されている。したがって、鍵をｘ方向に回転させても、ロック部材８４は図示の抑止位置に静止したままとなり、係止部材７０は施錠位置に保たれることとなる。
【００５５】
ここで、係止部材７０は、駆動モーターＭの駆動力によって解錠位置から施錠位置まで移動する。図２０は、この駆動モーターＭを簡易的に示した図であるが、この図に示すように、駆動モーターＭはケース９０に収容されており、このケース９０がモーター固定板９１に固定されている。ケース９０には、モーター回転軸に連係する減速機が収容されており、この減速機を介して、出力軸がモーター回転軸に連係している。また、モーター固定板９１には不図示の貫通孔が設けられており、この貫通孔に上記の出力軸を貫通させるとともに、当該出力軸の先端に回転体９２が固定されている。出力軸は回転体９２の中心に固定されており、駆動モーターＭを駆動して出力軸が回転すると、回転体９２が一体となって回転する。また、回転体９２には、出力軸の固定位置からずらした位置に連係ピン９３を突出させており、駆動モーターＭを駆動することによって、連係ピン９３が所定の円弧を描いて回転するようにしている。
【００５６】
上記のような駆動モーターＭは、モーター固定板９１を介してガイド金具７１の最下端に取り付けられている。つまり、駆動モーターＭは、モーター固定板９１およびガイド金具７１を介して支持体２の側板２ｄの下部位置に取り付けられることとなる。仮に、透過部材保持枠５や遊技盤保持枠６に係止部材７０や駆動モーターＭを設けてしまうと、その重量が、ヒンジ４ａ，４ｂおよび枢支軸１６ａ，１６ｂへ作用するため、透過部材保持枠５や遊技盤保持枠６が長期的にがたつきやすくなる（図１、図２参照）。これに対して、支持体２は、一般的に遊技場においてボルト等で固定されるため、その重量が増しても特段の支障をきたすことはない。したがって、所定の重量を有する係止部材７０や駆動モーターＭを、透過部材保持枠５や遊技盤保持枠６ではなく支持体２に設ければ、これら駆動モーターＭや係止部材７０による重量増に起因して、透過部材保持枠５や遊技盤保持枠６が支持体２に対して歪むことがなくなり、長期的にがたつきを軽減することができる。しかも、駆動モーターＭが、支持体２の側板２ｄの最下端に設けられれば、側板２ｄの歪みもほとんど生じなくなる。なお、駆動モーターＭを支持体２の下板２ｂに設ければ、駆動モーターＭの重量に起因するがたつきが一切生じなくなるが、本実施形態のように、駆動モーターＭを係止部材７０に固定してユニット化すれば、施錠機構の組み付けを容易化することができる。
【００５７】
また、図１５〜図１８に示すように、駆動モーターＭには連係始点検出スイッチ９４、連係終点検出スイッチ９５、原点検出スイッチ９６が設けられている。これら検出スイッチ９４〜９６は、駆動モーターＭの出力軸すなわち連係ピン９３と一体となって回転する被検出体８９の位置を検出するものである。なお、検出スイッチ９４〜９６および被検出体８９の構成は特に限定されず、被検出体８９の位置を検出することができれば、例えば磁気で位置を検出してもよいし光で検出してもよい。
そして、図１５〜図１８においては駆動モーターＭに隠れているが、スライド部材７２の最下端には、図２１に示すように、駆動モーターＭの連係ピン９３に連係する被連係部材８８が固定されている。この被連係部材８８は、連係ピン９３の回転軌跡上に接触面８８ａを臨ませており、連係ピン９３がその回転過程で接触面８８ａにあたり、駆動モーターＭの駆動力によって、被連係部材８８が下方に押し下げられるようにしている。
【００５８】
駆動モーターＭの駆動力によって、係止部材７０が解錠位置から施錠位置まで移動する過程を、図２２を用いて説明する。図２２は、駆動モーターＭに設けられた連係ピン９３と係止部材７０に設けられた被連係部材８８との連係関係、およびロック部材８４と係止部材７０との相対関係を示している。
係止部材７０が解錠位置にあるとき、スライド部材７２は付勢手段７５の付勢力によって上方に押し上げられている。すでに説明したとおり、このとき、図２２（ａ）に示すように、ロック用突部８４ａがロック片８７に接触して、ロック部材８４は退避位置に静止している。
一方、詳しくは後述するが、遊技機１が解錠されて透過部材保持枠５が開放されると、後述する制御手段が駆動モーターＭを駆動して、連係ピン９３を図示の原点位置に到達させる。この原点位置においては、連係ピン９３と被連係部材８８の接触面８８ａとが非接触状態に保たれている。
【００５９】
そして、係止部材７０が図２２（ａ）に示す解錠位置にあるときに、透過部材保持枠５を閉位置まで回転させると、後述する施錠操作検出スイッチ９９が信号を検知するとともに、当該信号の検出を契機として制御手段が駆動モーターＭを駆動する。すると、図２２（ｂ）に示すように、連係ピン９３が被連係部材８８の接触面８８ａに接触するとともに、駆動モーターＭの駆動力によって、連係ピン９３が被連係部材８８（スライド部材７２）を、付勢手段７５の付勢力に抗して下方に押し下げる。そして、被連係部材８８（スライド部材７２）は、連係ピン９３によって、図２２（ｃ）に示す位置まで下方に押し下げられる。
また、図２２（ｂ）に示す位置から図２２（ｃ）に示す位置までスライド部材７２が移動する過程で、ロック片８７と、ロック部材８４のロック用突部８４ａとの接触が断たれるとともに、スプリング８６の弾性力によってロック部材８４が時計回り方向に回動し、ロック用突部８４ａがロック片８７の上方に進入する。
【００６０】
図２２（ｃ）に示す状態からさらに連係ピン９３が回転すると、図２２（ｄ）に示すように、連係ピン９３と接触面８８ａとの接触が断たれ、付勢手段７５の付勢力によってスライド部材７２は上方に押し上げられる。このとき、ロック部材８４のロック用突部８４ａがロック片８７の上方に位置しており、ロック片８７の上端がロック用突部８４ａに接触したところで、スライド部材７２は上方への移動が規制されて図示の位置で静止する。
【００６１】
上記のように、スライド部材７２（係止部材７０）は、図２２（ａ）に示す解錠位置から図２２（ｄ）に示す施錠位置まで移動するが、その際に一度、図２２（ｃ）に示す最大到達位置を経由する。つまり、スライド部材７２（係止部材７０）は、解錠位置から施錠位置へ移動するとき、施錠位置よりもスライド部材７２（係止部材７０）の移動方向前方にある最大到達位置まで移動したのち、移動方向を逆にして施錠位置へ位置することとなる。これにより、駆動モーターＭと係止部材７０との連係が断たれた状態で、係止部材７０を施錠位置に保持することが可能となる。このように、係止部材７０は、施錠位置において、駆動モーターＭからフリーな状態となるので、透過部材保持枠５を開放する際に、駆動モーターＭと係止部材７０との間に抵抗がなくなり、ロック部材８４を退避位置に移動させるだけで速やかに透過部材保持枠５を開放することができる。
【００６２】
仮に、ロック部材８４が、図２２（ｄ）の上段に示すように抑止位置にあり、係止部材７０および駆動モーターＭが、図２２（ｃ）の下段に示すように連係したままになっているとする。この状態で鍵の操作によってロック部材８４を退避位置に移動させると、付勢手段７５の付勢力によってスライド部材７２が上方に押し上げられ、係止部材７０が解錠位置に移動しようとする。このとき、接触面８８ａと連係ピン９３とが接触状態にあるため、接触面８８ａが連係ピン９３を押し上げながら、スライド部材７２が上方に移動することとなる。
【００６３】
つまり、係止部材７０が解錠位置に移動する際に、連係ピン９３を介して駆動モーターＭが反転することとなる。しかしながら、駆動モーターＭには減速機が設けられており、駆動モーターＭを反転する際の抵抗は大きい。そのため、解錠操作を行っても、速やかに遊技機１を解錠することができなくなってしまう。また、付勢手段７５に、駆動モーターＭを反転する際の抵抗に打ち勝つ付勢力が要求されたり、駆動モーターＭを反転することによる不具合が生じたりするおそれがある。
本実施形態のように、係止部材７０の施錠位置において、係止部材７０と駆動モーターＭとの連係を断たせておけば、速やかに解錠することができ、また、上記のような不具合が生じることもなくなる。
【００６４】
そして、上記のように駆動モーターＭを駆動するのが制御手段であるが、この制御手段の構成および制御手段による駆動モーターＭの駆動または停止制御について以下に説明する。
【００６５】
図２３に示すように、遊技機１の施錠は、施錠制御基板１０１によって行われる。この施錠制御基板１０１は、ＣＰＵ１０１ａ、ＲＯＭ１０１ｂ、ＲＡＭ１０１ｃを備えており、電源プラグ１１５および電源基板１１０を介して電源が供給されている。施錠制御基板１０１の入力側には、連係始点検出スイッチ９４、連係終点検出スイッチ９５、原点検出スイッチ９６、係止部材位置検出スイッチ９７、扉体開閉検出スイッチ９８、施錠操作検出スイッチ９９が接続されている。また、施錠制御基板１０１の出力側には、画像制御基板１２０および駆動モーターＭが接続されている。ＣＰＵ１０１ａは、各検出スイッチ９４〜９９から入力する検出信号に基づいて、駆動モーターＭを駆動または停止したり、あるいは液晶表示装置１８、スピーカー１２，１９を制御するためのコマンドを画像制御基板１２０に送信したりする。
【００６６】
連係始点検出スイッチ９４は、連係ピン９３が図２２（ｂ）に回転位置変位したときに信号を出力する。つまり、連係始点検出スイッチ９４は、連係ピン９３が被連係部材８８の接触面８８ａに接触して、駆動モーターＭと係止部材７０（スライド部材７２）とが連係状態となったときに信号を出力する。
連係終点検出スイッチ９５は、連係ピン９３が図２２（ｄ）に回転位置変位したときに信号を出力する。つまり、連係終点検出スイッチ９５は、連係ピン９３と被連係部材８８の接触面８８ａとの接触が断たれて、駆動モーターＭと係止部材７０（スライド部材７２）とが非連係状態となったときに信号を出力する。
原点検出スイッチ９６は、連係始点検出スイッチ９４よりも、連係ピン９３の正転方向手前側に設けられており、連係ピン９３が図２２（ａ）に回転位置変位したときに信号を出力する。
【００６７】
係止部材位置検出スイッチ９７は、図１５、図１７に示すように、一対の鉤部材７８のうち上方に位置する鉤部材７８の下辺に当接する挟持片８３ｂに接触可能にガイド金具７１に設けられている。この係止部材位置検出スイッチ９７は、マイクロスイッチによって構成されており、図１７に示すとおり、係止部材７０が施錠位置にあるときに挟持片７８によって押圧されるスイッチ部（アクチュエータ）を有している。係止部材位置検出スイッチ９７は、係止部材７０が解錠位置にあるときには電気回路が開かれているが、係止部材７０が施錠位置に移動すると、挟持片７８によってスイッチ部（アクチュエータ）が押圧されて電気回路が閉じられる。係止部材位置検出スイッチ９７は、この電気回路の開閉状態から、係止部材７０の施錠状態すなわち係止部材７０が解錠位置にあるか施錠位置にあるかを、電力供給中に常時検出している。
【００６８】
扉体開閉検出スイッチ９８は、図１、図４に示すように、透過部材保持枠５の開放側の背面（金属板２１の背面）に設けられたマイクロスイッチによって構成されている。この扉体開閉検出スイッチ９８は、透過部材保持枠５が支持体２に対して閉じられたときに押圧されるスイッチ部（アクチュエータ）を有している。透過部材保持枠５が支持体２に対して開かれた状態では、電気回路が開かれているが、透過部材保持枠５が支持体２に対して閉じられると、スイッチ部（アクチュエータ）が押圧されて電気回路が閉じられる。扉体開閉検出スイッチ９８は、この電気回路の開閉状態から透過部材保持枠５の開閉状態を検出するものであるが、図１９に示すように、鉤片８２が被係止孔２２に係止可能な範囲になったところで、電気回路が閉じられるようにしている。このように、扉体開閉検出スイッチ９８は、鉤片８２が被係止孔２２に係止可能な範囲にあるか否かを、電力供給中に常時検出している。
【００６９】
施錠操作検出スイッチ９９は、施錠操作が行われたか否かを検出するものであり、図１に示すように透過部材保持枠５の開放側の背面（金属板２１の背面）に設けられた磁石９９ａと、支持体２の側板２ｄの前面に設けられた磁気検知センサ９９ｂとによって構成されている。この磁気センサ９９ｂは、透過部材保持枠５が支持体２に対して所定の位置まで閉じられたときに、磁石９９ａの移動によって生じる磁界の変動を検出することによって、透過部材保持枠５が支持体２に対して閉じられたことを検出するものである。なお、この施錠操作検出スイッチ９９は、上記扉体開閉検出スイッチ９８と同様に、鉤片８２が被係止孔２２に係止可能な範囲となったところで磁界の変動を検出するようにしている。言い換えれば、施錠操作検出スイッチ９９における磁界の変動の検出範囲は、鉤片８２が被係止孔２２に係止可能な範囲内にある。
なお、本実施形態においては、施錠操作検出スイッチ９９を磁気センサによって構成したが、施錠操作検出スイッチ９９はこれに限らず、例えばフォトセンサや上記のようなマイクロスイッチによって構成しても構わない。また、本実施形態においては、透過部材保持枠５が支持体２に対して閉じられたことをもって施錠操作が行われたこととしたが、例えば、施錠操作ボタンを設けるとともに、この施錠操作ボタンの押圧操作の検出をもって施錠操作が行われたこととしてもよい。
【００７０】
次に、図２４〜図３２を用いて施錠制御基板における各種の処理について説明する。図２４は、施錠制御基板割込処理であるが、ＣＰＵ１０１ａは、この割込処理を所定の時間（例えば４／１０００秒）ごとに繰り返し行っている。
【００７１】
（ステップＳ１）
ＣＰＵ１０１ａは、連係始点検出スイッチ９４、連係終点検出スイッチ９５、原点検出スイッチ９６、扉体開閉検出スイッチ９８、施錠操作検出スイッチ９９からの検出信号の入力に応じて入力制御処理を実行する。この入力制御処理について図２５を用いて後述する。
【００７２】
（ステップＳ２）
ＣＰＵ１０１ａは、上記ステップＳ１でセットされたコマンドに基づいて、駆動モーターＭを駆動または停止させる制御を行う。
【００７３】
図２５を用いて入力制御処理について説明する。
【００７４】
（ステップＳ１００）
まず、ＣＰＵ１０１ａは、ＲＯＭ１０１ｂに格納された所定のプログラムを読み出して施錠操作検出スイッチ入力処理を実行する。この施錠操作検出スイッチ入力処理においては、施錠操作検出スイッチ９９からの信号入力を契機として、ＣＰＵ１０１ａが駆動モーターＭを駆動して遊技機１の施錠を行う。この施錠操作検出スイッチ入力処理については、図２６を用いて後述する。
【００７５】
（ステップＳ２００）
次に、ＣＰＵ１０１ａは、ＲＯＭ１０１ｂに格納された所定のプログラムを読み出して扉体開閉検出スイッチ入力処理を実行する。この扉体開閉検出スイッチ入力処理においては、扉体開閉検出スイッチ９８からの信号入力を契機として、ＣＰＵ１０１ａが駆動モーターＭを駆動して遊技機１の施錠を行ったり、あるいは液晶表示装置１８の画像制御やスピーカー１２，１９から音声出力制御を行うためのコマンドを送信したりする。この扉体開閉検出スイッチ入力処理については、図２７を用いて後述する。
【００７６】
（ステップＳ３００）
次に、ＣＰＵ１０１ａは、ＲＯＭ１０１ｂに格納された所定のプログラムを読み出して連係始点検出スイッチ入力処理を実行する。この連係始点検出スイッチ入力処理においては、連係始点検出スイッチ９４からの信号入力を契機として、ＣＰＵ１０１ａが、ＲＡＭ１０１ｃの連係過程フラグ記憶領域および非連係過程フラグ記憶領域のフラグをＯＮまたはＯＦＦする。この連係始点検出スイッチ入力処理については、図２８を用いて後述する。
【００７７】
（ステップＳ４００）
次に、ＣＰＵ１０１ａは、ＲＯＭ１０１ｂに格納された所定のプログラムを読み出して連係終点検出スイッチ入力処理を実行する。この連係終点検出スイッチ入力処理においては、連係終点検出スイッチ９５からの信号入力を契機として、ＣＰＵ１０１ａが、ＲＡＭ１０１ｃの連係過程フラグ記憶領域および非連係過程フラグ記憶領域のフラグをＯＮまたはＯＦＦする。この連係始点検出スイッチ入力処理については、図２９を用いて後述する。
【００７８】
（ステップＳ５００）
次に、ＣＰＵ１０１ａは、ＲＯＭ１０１ｂに格納された所定のプログラムを読み出して原点検出スイッチ入力処理を実行する。この原点検出スイッチ入力処理においては、原点検出スイッチ９６からの信号入力を契機として、ＣＰＵ１０１ａが、駆動モーターＭを停止する制御を行う。この原点検出スイッチ入力処理については、図３０を用いて後述する。
【００７９】
図２６を用いて、施錠操作検出スイッチ入力処理について説明する。
【００８０】
（ステップＳ１０１）
ＣＰＵ１０１ａは、施錠操作検出スイッチ信号を入力したか否かを判定する。施錠操作検出スイッチ信号が施錠制御基板１０１に入力する場合というのは、上記したとおり、鉤片８２が被係止孔２２に係止可能な範囲まで、透過部材保持枠５を支持体２に対して閉じた場合である。鉤片８２が被係止孔２２に係止可能な範囲まで透過部材保持枠５を閉じると、磁気センサ９９ｂが磁界の変動を検出するとともに当該検出信号が施錠制御基板１０１に入力する。この施錠操作検出スイッチ信号を入力したと判定した場合にはステップＳ１０３に処理を移し、施錠操作検出スイッチ信号を入力していないと判定した場合には当該施錠操作検出スイッチ入力処理を終了する。
【００８１】
（ステップＳ１０２）
上記ステップＳ１０１において施錠操作検出スイッチ信号を入力したと判定した場合には、ＣＰＵ１０１ａは、ＲＡＭ１０１ｃに設けられた正転フラグ記憶領域または逆転フラグ記憶領域のいずれかにフラグがＯＮしているか否かを判定する。本実施形態においては、駆動モーターＭは正転または逆転可能なものであり、本実施形態においては、図２２（ａ）から図２２（ｅ）に向かって回転位置変位する回転体９２の回転方向、すなわち解錠位置から施錠位置まで係止部材７０（スライド部材７２）を移動させる回転体９２の回転方向を正転方向とし、図２２（ｅ）に示す状態から図２２（ａ）に示す状態への回転方向を逆転方向としている。そして、駆動モーターＭが正転方向に回転しているときには正転フラグ記憶領域にフラグがＯＮされ、駆動モーターＭが逆転方向に回転しているときには逆転フラグ記憶領域にフラグがＯＮされる。したがって、ここでは、駆動モーターＭがいずれかの回転方向に駆動しているか否かを判定することとなる。その結果、駆動モーターＭが駆動中であると判定した場合には、当該施錠操作検出スイッチ入力処理を終了し、駆動モーターＭが停止中であると判定した場合には、ステップＳ１０３に処理を移す。
【００８２】
（ステップＳ１０３）
上記ステップＳ１０２において駆動モーターＭが停止中であると判定した場合には、ＣＰＵ１０１ａは、駆動モーターＭを正転するための駆動モーター正転コマンドを生成する。
【００８３】
（ステップＳ１０４）
次に、ＣＰＵ１０１ａは、上記ステップＳ１０３で生成された駆動モーター正転コマンドを所定の処理領域にセットする。これにより、上記ステップＳ２において駆動モーターＭが通電され、駆動モーターＭおよび回転体９２が一体となって正転方向に回転することとなる。
【００８４】
（ステップＳ１０５）
次に、ＣＰＵ１０１ａは、施錠制御基板１０１のＲＡＭ１０１ｃに設けられた正転フラグ記憶領域にフラグをＯＮする。これにより、駆動モーターＭを正転方向に回転するための制御中であることが記憶される。
以上のように、この施錠操作検出スイッチ入力処理によれば、透過部材保持枠５を支持体２に対して閉じた際に、施錠制御基板１０１の制御によって自動で施錠操作が行われることとなる。ただし、駆動モーターＭが駆動している最中に施錠操作検出スイッチ９９から検出信号が入力した場合には、当該検出信号の入力を無視するようにしている。
これにより、ＣＰＵ１０１ａは、施錠操作検出スイッチ入力処理を終了して図２７の扉体開閉検出スイッチ入力処理に処理を移す。
【００８５】
図２７を用いて、扉体開閉検出スイッチ入力処理について説明する。
【００８６】
（ステップＳ２０１）
鉤片８２が被係止孔２２に係止可能な範囲まで透過部材保持枠５を支持体２に対して閉じると、扉体開閉検出スイッチ９８のスイッチ（アクチュエータ）が押圧されて、施錠制御基板１０１に検出信号が入力する。電力供給がなされた状態で透過部材保持枠５が支持体２に対して閉じられていれば、施錠制御基板１０１に検出信号が常時入力することとなり、透過部材保持枠５が支持体２に対して開かれていれば、施錠制御基板１０１への信号入力が断たれる。ＣＰＵ１０１ａは、検出信号が入力しているか否かによって透過部材保持枠５すなわち扉体３が閉じられているのか開かれているのかを判定する。ＣＰＵ１０１ａは、扉体３が開放中である（施錠制御基板１０１への検出信号の入力が断たれている）と判定した場合にはステップＳ２０２に処理を移し、扉体３が閉じられている（施錠制御基板１０１に検出信号が入力している）と判定した場合にはステップＳ２０９に処理を移す。
【００８７】
（ステップＳ２０２）
上記ステップＳ２０１において、扉体３の開放中であると判定した場合には、ＣＰＵ１０１ａは、ＲＡＭ１０１ｃの正転フラグ記憶領域にフラグがＯＮしているか否かを判定する。すでに説明したとおり、正転フラグ記憶領域にフラグがＯＮしている場合というのは、駆動モーターＭが正転方向に回転中であることを意味している。ＣＰＵ１０１ａは、正転フラグ記憶領域にフラグがＯＮしていると判定した場合、つまり、扉体３が開放中であり、かつ、駆動モーターＭが正転方向に回転中であると判定した場合にはステップＳ２０３に処理を移す。一方、正転フラグ記憶領域にフラグがＯＮしていないと判定した場合、つまり、駆動モーターＭが逆転方向に回転中である場合、あるいは駆動モーターＭが停止中であると判定した場合には、ステップＳ２０８に処理を移す。
【００８８】
（ステップＳ２０３）
上記ステップＳ２０２において、正転フラグ記憶領域にフラグがＯＮしていると判定した場合には、ＣＰＵ１０１ａは、回転体９２が連係過程にあるか否かを判定する。ここで、連係過程というのは、回転体９２（連係ピン９３）の回転過程において、連係ピン９３が、図２２（ｂ）〜図２２（ｃ）に示す状態にある過程をいう。つまり、回転体９２（連係ピン９３）の回転過程において、連係ピン９３と係止部材７０（スライド部材７２）とが連係する過程を連係過程といい、図２２（ｄ）〜図２２（ａ）に示す状態にある過程を非連係過程という。このように、回転体９２（連係ピン９３）が連係過程にあるか非連係過程にあるかは、ＲＡＭ１０１ｃの連係過程フラグ記憶領域または非連係過程フラグ記憶領域におけるフラグの記憶状況に基づいて判定される。詳しくは後述するが、回転体９２（連係ピン９３）が連係過程にあるときには連係過程フラグ記憶領域にフラグがＯＮされており、回転体９２（連係ピン９３）が非連係過程にあるときには非連係過程フラグ記憶領域にフラグがＯＮされている。したがって、ここでは、ＣＰＵ１０１ａは、連係過程フラグ記憶領域にフラグがＯＮされているか否かを判定することとなる。その結果、ＣＰＵ１０１ａは、連係過程フラグ記憶領域にフラグがＯＮしていると判定した場合にはステップＳ２０４に処理を移し、連係過程フラグ記憶領域にフラグがＯＮしていないと判定した場合にはステップＳ２０８に処理を移す。
【００８９】
なお、ステップＳ２０３において、連係過程フラグ記憶領域にフラグがＯＮしていると判定する場合というのは、扉体３が開放中であるにも関わらず、駆動モーターＭが正転方向に回転駆動しており、連係ピン９３が係止部材７０（スライド部材７２）に連係している場合である。このような状況は、次のような場合に生じる。
例えば、透過部材保持枠５を支持体２に対して閉じることにより、図２６の施錠操作検出スイッチ入力処理が実行され、駆動モーターＭが正転方向に回転を開始したとする。すると、図２２（ｂ）に示すように連係ピン９３が係止部材７０（スライド部材７２）に連係して、回転体９２は非連係過程から連係過程へと移行する。すると、スライド部材７２は、図１５に示す解錠位置から図１７に示す施錠位置まで下方に移動するとともに、このスライド部材７２の移動にともなって鉤部材７８が回動する。このとき、鉤片８２は、被係止孔２２に即座に係止するわけではなく、鉤部材７８が所定量回動したところで、言い換えれば、スライド部材７２が所定量下方に移動したところで被係止孔２２に係止される（図１９参照）。したがって、回転体９２が連係過程へ移行してから、鉤部材７８が被係止孔２２に係止するまでの間に透過部材保持枠５を開放した場合には、ステップＳ２０１〜ステップＳ２０３で「ＹＥＳ」と判定されることとなる。
【００９０】
（ステップＳ２０４）
上記ステップＳ２０３において、回転体９２（連係ピン９３）が連係過程にあると判定した場合には、ＣＰＵ１０１ａは、駆動モーターＭを逆転するための駆動モーター逆転コマンドを生成する。
【００９１】
（ステップＳ２０５）
次に、ＣＰＵ１０１ａは、上記ステップＳ２０４で生成された駆動モーター逆転コマンドを所定の処理領域にセットする。これにより、上記ステップＳ２において駆動モーターＭが通電され、駆動モーターＭおよび回転体９２が一体となって逆転方向に回転することとなる。
【００９２】
（ステップＳ２０６）
次に、ＣＰＵ１０１ａは、施錠制御基板１０１のＲＡＭ１０１ｃに設けられた逆転フラグ記憶領域にフラグをＯＮする。この逆転フラグ記憶領域にフラグがＯＮされている場合というのは、駆動モーターＭを逆転方向に回転するための制御中であることを示すものである。なお、ＣＰＵ１０１ａは、逆転フラグ記憶領域にフラグをＯＮする場合には、正転フラグ記憶領域のフラグをＯＦＦする処理を同時に行っており、逆転フラグ記憶領域と正転フラグ記憶領域との双方にフラグがＯＮされることがないようにしている。
【００９３】
（ステップＳ２０７）
次に、ＣＰＵ１０１ａは、扉体３が開放していることを報知するための処理を実行する。具体的には、扉体３が開いていることを報知するメッセージを、液晶表示装置１８に表示したり、スピーカー１２，１９から音声出力したりするためのコマンドを画像制御基板１２０に送信する。
なお、扉体３が開いていることの報知は、駆動モーターＭの駆動状況や回転体９２の回転過程とは無関係に、扉体３が開放されたときに必ず開始する。したがって、この扉体開放報知処理においては、扉体３が開放中であると判定された場合に、画像制御基板１２０にコマンドが既に送信されているか否かを判定し、まだコマンドが送信されていないと判定した場合に限って、画像制御基板１２０にコマンドを送信するといった処理を行うようにしている。
【００９４】
（ステップＳ２０８）
一方、上記ステップＳ２０１において、扉体３は開放中ではないと判定した場合には、ＣＰＵ１０１ａは扉体閉成中処理を実行する。具体的には、扉体３が開放された後に閉じられた場合には、液晶表示装置１３やスピーカー１２，１９によって扉体３が開放中であることの報知が行われている。したがって、扉体３が開放中であることの報知が行われている場合には、こうした報知を終了させるためのコマンドを画像制御基板１２０に送信することとなる。ただし、扉体３が開放中であることの報知が行われていない場合には、ＣＰＵ１０１ａは特段の処理を行うことなく、扉体開閉検出スイッチ入力処理を終了する。
【００９５】
なお、連係ピン９３が図２２（ａ）〜図２２（ｂ）の範囲にある間に扉体３が開放されると、回転体９２はまだ非連係過程にあるため、上記ステップＳ２０３で「ＮＯ」と判定される。したがって、上記ステップＳ２０７において扉体３が開放されていることの報知は開始されるものの、駆動モーターＭは正転し続けることとなる。ただし、駆動モーターＭが正転し続ければ、連係ピン９３が係止部材７０（スライド部材７２）に連係することとなり、この時点で、上記ステップＳ２０３において「ＹＥＳ」と判定され、駆動モーターＭを逆転させる制御がなされることとなる。
また、連係ピン９３（回転体９２）が図２２（ｄ）〜図２２（ａ）の範囲にある場合には、鉤片８２が被係止孔２２に係止しているため、扉体３を支持体２から開放することはできない。したがって、連係ピン９３（回転体９２）が図２２（ｄ）〜図２２（ａ）の範囲にあるときに、扉体３が開放中であると判定されることはない。
【００９６】
図２８を用いて、連係始点検出スイッチ入力処理について説明する。
【００９７】
（ステップＳ３０１）
ＣＰＵ１０１ａは、連係始点検出スイッチ９４から検出信号が入力したか否かを判定する。すでに説明したとおり、図２２（ｂ）に示すように、連係ピン９３と係止部材７０（スライド部材７２）との連係開始位置に回転体９２が到達したところで、連係始点検出スイッチ９４から施錠制御基板１０１に検出信号が入力する。したがって、ここでは、連係ピン９３と係止部材７０（スライド部材７２）とが連係開始位置に到達したか否かを判定することとなる。ＣＰＵ１０１ａは、連係始点検出スイッチ９４から検出信号が入力したと判定した場合にはステップＳ３０２に処理を移し、連係始点検出スイッチ９４から検出信号が入力していないと判定した場合には当該連係始点検出スイッチ入力処理を終了する。
【００９８】
（ステップＳ３０２）
上記ステップＳ３０１において、連係始点検出スイッチ信号が入力したと判定した場合には、ＣＰＵ１０１ａは、ＲＡＭ１０１ｃの正転フラグ記憶領域にフラグがＯＮしているか否かを判定する。つまり、ここでは、回転体９２が正転方向に回転したことにより、連係ピン９３が図２２（ｂ）の位置に到達したのか否かを判定することとなる。その結果、正転フラグ記憶領域にフラグがＯＮしていると判定した場合にはステップＳ３０３に処理を移し、正転フラグ記憶領域にフラグがＯＮしていないと判定した場合にはステップＳ３０５に処理を移す。
【００９９】
（ステップＳ３０３）
上記ステップＳ３０２において、正転フラグ記憶領域にフラグがＯＮしていると判定した場合には、ＣＰＵ１０１ａは、ＲＡＭ１０１ｃの連係過程フラグ記憶領域にフラグをＯＮする。これにより、連係ピン９３（回転体９２）が、その回転過程において連係過程にあることが記憶されることとなる。
【０１００】
（ステップＳ３０４）
次に、ＣＰＵ１０１ａは、ＲＡＭ１０１ｃの非連係過程フラグ記憶領域にＯＮされているフラグをＯＦＦして、当該連係始点検出スイッチ入力処理を終了する。
【０１０１】
（ステップＳ３０５）
一方、上記ステップＳ３０２において、正転フラグ記憶領域にフラグがＯＮしていないと判定する場合というのは、回転体９２が逆転方向に回転したことにより、連係ピン９３が図２２（ｂ）の位置に到達した場合である。したがって、この場合には、連係過程フラグ記憶領域にフラグがＯＮされていることとなるが、ＣＰＵ１０１ａは、この連係過程フラグ記憶領域にＯＮされているフラグをＯＦＦする。
【０１０２】
（ステップＳ３０６）
次に、ＣＰＵ１０１ａは、ＲＡＭ１０１ｃの非連係過程フラグ記憶領域にフラグをＯＮして、当該連係始点検出スイッチ入力処理を終了する。
【０１０３】
図２９を用いて、連係終点検出スイッチ入力処理について説明する。
【０１０４】
（ステップＳ４０１）
ＣＰＵ１０１ａは、連係終点検出スイッチ９５から検出信号が入力したか否かを判定する。すでに説明したとおり、図２２（ｄ）に示すように、連係ピン９３と係止部材７０（スライド部材７２）との連係終了位置に回転体９２が到達したところで、連係終点検出スイッチ９５から施錠制御基板１０１に検出信号が入力する。したがって、ここでは、連係ピン９３と係止部材７０（スライド部材７２）とが連係終了位置に到達したか否かを判定することとなる。ＣＰＵ１０１ａは、連係終点検出スイッチ９５から検出信号が入力したと判定した場合にはステップＳ４０２に処理を移し、連係終点検出スイッチ９５から検出信号が入力していないと判定した場合には当該連係終点検出スイッチ入力処理を終了する。
【０１０５】
（ステップＳ４０２）
上記ステップＳ４０１において、連係終点検出スイッチ信号が入力したと判定した場合には、ＣＰＵ１０１ａは、ＲＡＭ１０１ｃの正転フラグ記憶領域にフラグがＯＮしているか否かを判定する。つまり、ここでは、回転体９２が正転方向に回転したことにより、連係ピン９３が図２２（ｄ）の位置に到達したのか否かを判定することとなる。その結果、正転フラグ記憶領域にフラグがＯＮしていると判定した場合にはステップＳ４０６に処理を移し、正転フラグ記憶領域にフラグがＯＮしていないと判定した場合にはステップＳ４０３に処理を移す。
【０１０６】
（ステップＳ４０３）
上記ステップＳ４０２において、正転フラグ記憶領域にフラグがＯＮしていないと判定する場合というのは、回転体９２（連係ピン９３）が逆転している場合である。通常、回転体９２（連係ピン９３）の逆転方向への回転によって連係終点検出スイッチ９５から検出信号が入力することはないが、何らかの不具合が生じた場合に、図２２（ｅ）に示す状態から図２２（ｄ）に示す状態へと回転する可能性がある。このとき、回転体９２（連係ピン９３）が逆転方向に回転し続けると、連係ピン９３が被連係部材８８に衝突して、連係ピン９３や回転体９２が損傷するおそれがある。したがって、この場合には、ＣＰＵ１０１ａが、駆動モーターＭを正転するための駆動モーター正転コマンドを生成する。
【０１０７】
（ステップＳ４０４）
次に、ＣＰＵ１０１ａは、上記ステップＳ４０３で生成された駆動モーター正転コマンドを所定の処理領域にセットする。これにより、上記ステップＳ２において駆動モーターＭが通電され、駆動モーターＭおよび回転体９２が一体となって正転方向に回転することとなる。
【０１０８】
（ステップＳ４０５）
次に、ＣＰＵ１０１ａは、施錠制御基板１０１のＲＡＭ１０１ｃに設けられた正転フラグ記憶領域にフラグをＯＮする。
【０１０９】
（ステップＳ４０６）
一方、上記ステップＳ４０２において、正転フラグ記憶領域にフラグがＯＮしていると判定した場合には、ＣＰＵ１０１ａは、ＲＡＭ１０１ｃの非連係過程フラグ記憶領域にフラグをＯＮする。これにより、連係ピン９３（回転体９２）が、その回転過程において非連係過程にあることが記憶されることとなる。
【０１１０】
（ステップＳ４０７）
次に、ＣＰＵ１０１ａは、ＲＡＭ１０１ｃの連係過程フラグ記憶領域にＯＮされているフラグをＯＦＦして、当該連係終点検出スイッチ入力処理を終了する。
【０１１１】
以上のように、連係始点検出スイッチ入力処理および連係終点検出スイッチ入力処理によって、回転体９２（連係ピン９３）がいずれの回転過程にあるか、つまり、回転体９２と係止部材７０（スライド部材７２）とが連係しているか否かを把握するようにしている。
【０１１２】
図３０を用いて、原点検出スイッチ入力処理について説明する。
【０１１３】
（ステップＳ５０１）
ＣＰＵ１０１ａは、原点検出スイッチ９６から検出信号が入力したか否かを判定する。すでに説明したとおり、回転体９２（連係ピン９３）が図２２（ａ）に示す位置に到達したところで、原点検出スイッチ９６から施錠制御基板１０１に検出信号が入力する。この原点検出スイッチ９６からは、回転体９２(連係ピン９３)が正転方向に回転した場合と、逆転方向に回転した場合の双方において検出信号が入力しうる。ＣＰＵ１０１ａは、原点検出スイッチ９６から検出信号が入力したと判定した場合にはステップＳ５０２に処理を移し、原点検出スイッチ９６から検出信号が入力していないと判定した場合には当該原点検出スイッチ入力処理を終了する。
【０１１４】
（ステップＳ５０２）
上記ステップＳ５０１において、原点検出スイッチ信号が入力したと判定した場合には、ＣＰＵ１０１ａは、駆動モーターＭを停止させる処理を行う。これにより、図２２（ａ）に示す状態で回転体９２（連係ピン９３）が停止することとなる。
【０１１５】
（ステップＳ５０３）
次に、ＣＰＵ１０１ａは、正転フラグ記憶領域または逆転フラグ記憶領域にＯＮされているフラグをＯＦＦする。これにより、駆動モーターＭがいずれの方向にも回転しておらず停止中であることが把握されることとなる。
【０１１６】
（ステップＳ５０４）
次に、ＣＰＵ１０１ａは、係止部材位置検出スイッチ９７から検出信号が入力しているかを判定することにより、係止部材７０が施錠位置にあるか否かを判定する。その結果、係止部材位置検出スイッチ９７から検出信号が入力しており、係止部材７０が施錠位置にあると判定した場合にはステップＳ５０７に処理を移し、係止部材位置検出スイッチ９７から検出信号が入力しておらず、係止部材７０が施錠位置にはないと判定した場合にはステップＳ５０５に処理を移す。
【０１１７】
（ステップＳ５０５）
上記ステップＳ５０４において、係止部材７０は施錠位置にはないと判定した場合には、ＣＰＵ１０１ａは、扉体３が開放中であるか否かを判定する。ここでは、扉体開閉検出スイッチ９８から検出信号が入力していない場合には扉体３が開放中であると判定し、扉体開閉検出スイッチ９８から検出信号が入力している場合には扉体３が閉じられていると判定する。その結果、扉体３は開放中ではないと判定した場合にはステップＳ５０６に処理を移し、扉体３が開放中であると判定した場合には当該原点検出スイッチ入力処理を終了する。
【０１１８】
なお、上記ステップＳ５０４において係止部材７０が施錠位置にはなく、かつ、当該ステップＳ５０５で扉体３が開放中であると判定する場合としては、例えば、駆動モーターＭが駆動する施錠動作中に扉体３を開放した場合が考えられる。より具体的には、施錠動作中において、回転体９２（連係ピン９３）が図２２（ｅ）に示す状態まで回転したところで扉体３が開放されたとする。すると、回転体９２（連係ピン９３）は、そのまま原点位置まで回転を続けることとなり、回転体９２（連係ピン９３）が原点位置に到達したときには、係止部材７０が解錠位置に位置するとともに、扉体３が開放されていることとなる。この場合には、扉体３が開放された時点で、上記した図２７の扉体開閉検出スイッチ入力処理において、扉体３が開放されていることが報知されている。したがって、当該原点検出スイッチ入力処理では、駆動モーターＭを駆動したり何らかの報知をしたりすることなく処理を終了することとなる。
【０１１９】
（ステップＳ５０６）
一方、上記ステップＳ５０５において、扉体３は開放中ではないと判定する場合としては、例えば、施錠動作中において、回転体９２（連係ピン９３）が図２２（ｅ）に示す状態まで回転したところで扉体３が開放され、その後、駆動モーターＭが原点位置に到達するまでの間に、再び扉体３が支持体２に対して閉じられた場合が考えられる。このように、施錠されていないものの、扉体３が支持体２に対して閉じられれば、図２７の扉体開閉検出スイッチ入力処理において、扉体３が開放されていることの報知は行われない。したがって、ここでは、駆動モーターＭが原点位置に到達したところで、遊技機１の施錠が行われていないことを報知すべく異常報知処理が行われる。具体的には、施錠がなされていないことを報知するメッセージを、液晶表示装置１８に表示したり、あるいはスピーカー１２，１９から音声出力したりするためのコマンドを画像制御基板１２０に送信する。扉体３が閉じられた状態では、係止部材７０が解錠位置にあるのか施錠位置にあるのかについて判別することができないが、上記のように異常報知処理を行うことにより、施錠がなされていないことを報知することができる。なお、この異常報知処理は、上記ステップＳ２０８の扉体閉成中処理によって報知が停止されなければ、上記ステップＳ２０７における扉体開放報知処理と全く同じ処理を行うようにしてもよいし、異なる処理を行うようにしてもよい。
【０１２０】
（ステップＳ５０７）
また、上記ステップＳ５０４において、係止部材７０は施錠位置にあると判定した場合には、ＣＰＵ１０１ａは、上記ステップＳ５０５と同様に、扉体３が開放中であるかを判定する。その結果、扉体３が開放中であると判定した場合にはステップＳ５０８に処理を移し、扉体３は開放中ではないと判定した場合には当該原点検出スイッチ入力処理を終了する。
【０１２１】
（ステップＳ５０８）
上記ステップＳ５０７において、扉体３は開放中であると判定する場合としては、例えば、施錠動作中に扉体３を開放するとともに、人手によってスライド部材７２を押し下げるなどして係止部材７０を施錠位置まで移動させた場合が考えられる。このように、係止部材７０が施錠位置にあり、かつ、扉体３の開放中に回転体９２（連係ピン９３）が原点位置に到達した場合には、ＣＰＵ１０１ａは、ロックの解除を促すべくロック解除報知処理を実行する。つまり、扉体３が開放されているにも関わらず係止部材７０が施錠位置にある場合には、遊技機１を施錠するにあたって、まず、係止部材７０を解錠位置に移動させなければならない。したがって、このステップＳ５０８においては、ロック部材８４を抑止位置から退避位置に移動させてロックを解除するとともに、係止部材７０を施錠位置から解錠位置へと移動させることを促すメッセージを、液晶表示装置１８に表示したり、あるいはスピーカー１２，１９から音声出力したりするためのコマンドを画像制御基板１２０に送信する。これにより、原点検出スイッチ入力処理が終了となる。
【０１２２】
なお、上記ステップＳ５０７において、扉体３は開放中ではないと判定する場合というのは、回転体９２（連係ピン９３）が原点位置に到達したときに、係止部材７０が施錠位置にあり、かつ、扉体３が閉じられている場合である。したがって、この場合には、遊技機１の施錠がしっかりとなされたものと判断し、当該原点検出スイッチ入力処理を終了することとなる。
以上のように、本実施形態においては、扉体開閉検出スイッチ９８の検出信号に基づく扉体３の開閉状態と、係止部材位置検出スイッチ９７の検出信号に基づく係止部材７０の施錠状態とに基づいて種々の報知がなされるので、遊技機１が解錠されたままになってしまうことがない。
【０１２３】
図３１を用いて、施錠制御基板電断割込処理について説明する。
電源基板１１０が停電を検出すると、電断検知信号が施錠制御基板１０１に出力される。この電断検知信号を施錠制御基板１０１が受信すると、ＣＰＵ１０１ａは、以下の電断割込処理を行う。
【０１２４】
（ステップＳ６０１）
ＣＰＵ１０１ａは、使用しているＲＡＭ１０１ｃのチェックサムを作成して保存する。
【０１２５】
（ステップＳ６０２）
次に、ＣＰＵ１０１ａは、ＲＡＭ１０１ｃへのアクセスを禁止に設定してＲＡＭ１０１ｃの内容を保護するとともに、その後、無限ループを行って電源ダウンに備える。この処理により、施錠制御基板１０１のＲＡＭ１０１ｃに設けられた正転フラグ記憶領域、逆転フラグ記憶領域、連係過程フラグ記憶領域、非連係過程フラグ記憶領域におけるフラグのＯＮ／ＯＦＦ状況を記憶するようにしている。
なお、ＲＡＭ１０１ｃは、不揮発性メモリによって構成することとしてもよいし、あるいは、ＲＡＭ１０１ｃを揮発性メモリによって構成するとともに、バックアップ電源からの電力供給が可能な期間のみ、フラグのＯＮ／ＯＦＦ状況を記憶するようにしてもよい。
いずれにしても、電源基板１１０からの電力供給が停止した場合には、電力供給停止時におけるＲＡＭ１０１ｃのフラグ状況を記憶するとともに、この電力供給停止時におけるフラグ状況が電源の投入時に読み出されればよい。
【０１２６】
図３２を用いて、施錠制御基板電源投入時処理について説明する。
【０１２７】
（ステップＳ７０１）
電源が投入されて電源基板１１０から施錠制御基板１０１に電力供給が開始されると、ＣＰＵ１０１ａは、まず、初期化処理を行う。この初期化処理の中で、ＲＡＭ１０１ｃへのアクセスが許可に設定される。
【０１２８】
（ステップＳ７０２）
次に、ＣＰＵ１０１ａは、扉体開閉検出スイッチ９８から検出信号が入力しているか否かを判定する。つまり、電力供給が開始されたときに、扉体３が開放されているか否かを判定する。その結果、扉体３が開放中であると判定した場合にはステップＳ７０９に処理を移し、扉体３は開放中ではないと判定した場合にはステップＳ７０３に処理を移す。
【０１２９】
（ステップＳ７０３）
上記ステップＳ７０２において、扉体３は開放されていない（扉体３は閉じられている）と判定した場合には、ＣＰＵ１０１ａは、ＲＡＭ１０１ｃの連係過程フラグ記憶領域にフラグがＯＮしているか否かを判定する。つまり、ここでは、回転体９２が図２２（ｂ）〜図２２（ｃ）の範囲内にあるときに、電力供給が停止されたか否かを判定することとなる。その結果、回転体９２（連係ピン９３）は連係過程にあると判定した場合にはステップＳ７０６に処理を移し、回転体９２（連係ピン９３）は連係過程にないと判定した場合にはステップＳ７０４に処理を移す。
【０１３０】
（ステップＳ７０４）
上記ステップＳ７０３において、回転体９２（連係ピン９３）は連係過程にないと判定した場合には、ＣＰＵ１０１ａは、逆転フラグ記憶領域にフラグがＯＮしているか否かを判定する。その結果、逆転フラグ記憶領域にフラグがＯＮしていると判定した場合にはステップＳ７１１に処理を移し、逆転フラグ記憶領域にフラグはＯＮしていないと判定した場合にはステップＳ７０５に処理を移す。
【０１３１】
（ステップＳ７０５）
上記ステップＳ７０４において、逆転フラグ記憶領域にフラグはＯＮしていないと判定した場合には、ＣＰＵ１０１ａは、正転フラグ記憶領域にフラグがＯＮしているか否かを判定する。その結果、正転フラグ記憶領域にフラグがＯＮしていると判定した場合にはステップＳ７０６に処理を移し、正転フラグ記憶領域にもフラグはＯＮしていないと判定した場合には当該施錠制御基板電源投入時処理を終了する。
なお、遊技機１が適正に施錠されている状態で電力供給が停止し、その後、電力供給が開始された場合には、ステップＳ７０１→ステップＳ７０２→ステップＳ７０３→ステップＳ７０４→ステップＳ７０５と処理が移され、ステップＳ７０５で「ＮＯ」と判定されて施錠制御基板電源投入時処理が終了となる。
【０１３２】
（ステップＳ７０６）
一方で、上記ステップＳ７０５で正転フラグ記憶領域にフラグがＯＮしていると判定する場合というのは、扉体３が閉じられた状態で、回転体９２（連係ピン９３）が、図２２（ｄ）〜図２２（ｂ）の範囲内で正転方向に回転している場合である。この場合には、ＣＰＵ１０１ａは、駆動モーターＭを正転するための駆動モーター正転コマンドを生成する。
また、扉体３が閉じられた状態（ステップＳ７０２の「ＮＯ」）で、回転体９２（連係ピン９３）が連係過程にある場合にも、当該ステップＳ７０６において駆動モーター正転コマンドが生成される。
【０１３３】
（ステップＳ７０７）
次に、ＣＰＵ１０１ａは、上記ステップＳ７０６で生成された駆動モーター正転コマンドを所定の処理領域にセットする。これにより、上記ステップＳ２において駆動モーターＭが通電され、駆動モーターＭおよび回転体９２が一体となって正転方向に回転することとなる。
【０１３４】
（ステップＳ７０８）
次に、ＣＰＵ１０１ａは、施錠制御基板１０１のＲＡＭ１０１ｃに設けられた正転フラグ記憶領域にフラグをＯＮして、当該施錠制御基板電源投入時処理を終了する。
以上のように、回転体９２（連係ピン９３）が連係過程にあるときや、回転体９２（連係ピン９３）が非連係過程において正転方向に回転しているときに電力供給が停止し、しかも、その後の電力供給の開始の際に扉体３が閉じられている場合には、駆動モーターＭを正転方向に回転させるようにしている。これにより、施錠動作中に電力供給が停止した場合であっても、電力供給が再開したときに確実に遊技機１の施錠を完了させることが可能となる。
【０１３５】
（ステップＳ７０９）
一方、上記ステップＳ７０２において、扉体３が開放中であると判定した場合には、ＣＰＵ１０１ａは、ＲＡＭ１０１ｃの正転フラグ記憶領域または逆転フラグ記憶領域のいずれかにフラグがＯＮしているかを判定する。つまり、ここでは、電力供給が停止したときに駆動モーターＭが駆動していたか否かを判定する。その結果、いずれの記憶領域にもフラグがＯＮしていないと判定した場合、つまり、回転体９２（連係ピン９３）が原点位置で停止していた場合には当該施錠制御基板電源投入時処理を終了する。この施錠制御基板電源投入時処理が終了すると、以後、図２４〜図３０に示す処理が所定の間隔（例えば４／１０００秒ごと）で行われる。したがって、施錠制御基板電源投入時処理が終了すると、当該処理の後に行われる図２７に示す扉体開閉検出スイッチ入力処理において、ステップＳ２０１で扉体３は開放中であると判定され、ステップＳ２０７で扉体開放報知処理が行われることとなる。これにより、扉体３が開放されていることが報知されることとなる。
【０１３６】
（ステップＳ７１０）
また、上記ステップＳ７０９において、正転フラグ記憶領域または逆転フラグ記憶領域のいずれかにフラグがＯＮしていると判定した場合には、ＣＰＵ１０１ａは、連係過程フラグ記憶領域にフラグがＯＮしているか否かを判定する。つまり、上記ステップＳ７０３と同様に、回転体９２が図２２（ｂ）〜図２２（ｃ）の範囲内にあるときに、電力供給が停止されたか否かを判定することとなる。その結果、回転体９２（連係ピン９３）は連係過程にあると判定した場合にはステップＳ７１１に処理を移し、回転体９２（連係ピン９３）は連係過程にないと判定した場合には上記ステップＳ７０６に処理を移す。
【０１３７】
（ステップＳ７１１）
上記ステップＳ７１０において、回転体９２（連係ピン９３）が連係過程にあると判定した場合には、ＣＰＵ１０１ａは、駆動モーターＭを逆転するための駆動モーター逆転コマンドを生成する。
【０１３８】
（ステップＳ７１２）
次に、ＣＰＵ１０１ａは、上記ステップＳ７１１で生成された駆動モーター逆転コマンドを所定の処理領域にセットする。これにより、上記ステップＳ２において駆動モーターＭが通電され、駆動モーターＭおよび回転体９２が一体となって逆転方向に回転することとなる。
【０１３９】
（ステップＳ７１３）
次に、ＣＰＵ１０１ａは、施錠制御基板１０１のＲＡＭ１０１ｃに設けられた逆転フラグ記憶領域にフラグをＯＮして、当該施錠制御基板電源投入時処理を終了する。なお、ＣＰＵ１０１ａは、逆転フラグ記憶領域にフラグをＯＮする場合には、正転フラグ記憶領域のフラグをＯＦＦする処理を同時に行っている。
【０１４０】
なお、上記ステップＳ７１０で「ＹＥＳ」と判定されるのは、例えば、施錠動作中において、回転体９２（連係ピン９３）が連係過程（図２２（ｂ）〜図２２（ｃ）の範囲）にあるときに電力供給が断たれ、この電力供給が断たれている間に扉体３が開放された場合である。この場合には、駆動モーターＭが逆転方向に回転するとともに、その後の処理において回転体９２（連係ピン９３）が原点位置で静止することとなる。
【０１４１】
一方で、上記ステップＳ７１０で「ＮＯ」と判定されるのは、例えば、施錠動作中において、回転体９２（連係ピン９３）が非連係過程（図２２（ｄ）〜図２２（ｂ）の範囲）にあるときに電力供給が断たれ、この電力供給が断たれている間に扉体３が開放された場合である。このとき、例えば、回転体９２（連係ピン９３）が図２２（ｅ）に示す位置まで到達したところで、電力供給が断たれた場合には、ロック部材８４によってスライド部材７２の上方への移動が規制されている。ところが、電力供給が断たれている間にシリンダＳに鍵を挿入して解錠操作を行うと、ロック部材８４のロックが解除されて、スライド部材７２が上方へ移動して係止部材７０が解錠位置へと移動する。この状態で電力供給が開始されると、ステップＳ７０２→ステップＳ７０９→ステップＳ７１０→ステップＳ７０６という順に処理が実行される。
【０１４２】
これに対して、例えば、回転体９２（連係ピン９３）が図２２（ａ）〜図２２（ｂ）の範囲にあるときに電力供給が断たれた場合にも、上記と同様に、ステップＳ７０２→ステップＳ７０９→ステップＳ７１０→ステップＳ７０６という順に処理が実行される。そのため、扉体３が開放されているにも関わらず、駆動モーターＭが正転方向に回転することとなる。ただし、回転体９２（連係ピン９３）が図２２（ｂ）に示す位置まで到達すると、図２７に示す扉体開閉検出スイッチ入力処理においてステップＳ２０３〜ステップＳ２０７の処理が実行され、駆動モーターＭは原点位置まで逆転方向に回転することとなる。
【０１４３】
以上のように、施錠制御基板１０１における処理によれば、回転体９２の位置変位状況を検出することにより、係止部材７０の動作状況や位置状況が判別可能となり、これにより遊技機１の施錠動作状態が把握可能となる。また、鉤片８２が被係止孔２２に係止可能な範囲にあるか否か、すなわち、扉体３の開閉状態を検出するとともに、この扉体３の開閉状態と施錠動作状態とに基づいて、駆動モーターＭを駆動または停止させる。
また、例えば、施錠動作中に電力供給が停止したり、あるいは電力供給の停止中に扉体３を開放したりした場合であっても、電力供給が開始されたときに施錠状態を確認するとともに、施錠状態に応じた処置がとられる。このように、扉体３の開閉状態と施錠動作状態とから、施錠が中途半端になりうると判断した場合に、駆動モーターＭを所定の態様に駆動させることで、完全な施錠状態や解錠状態を創出することができる。
そして、扉体３が閉じられている場合であっても、遊技機１が施錠されていない場合には、液晶表示装置１８やスピーカー１２，１９によって異常が報知されるので、これにより、施錠が中途半端になることがなくなり、隙間から工具を侵入させる等の不正行為を防止することが可能となる。
【０１４４】
なお、本実施形態においては、係止部材７０を構成するスライド部材７２および鉤部材７８が連動することにより施錠および解錠が行われるようにしている。つまり、係止部材７０を複数の部材で構成し、これらが異なる動作をするようにしているが、例えば、スライド部材７２および鉤部材７８を一体に上下方向に移動するようにして係止部材７０を構成してもよい。いずれにしても、解錠位置と施錠位置との間の移動によって、被係止孔２２に対して係止したり、あるいはその係止状態が解除されたりすれば、係止部材７０の詳細な構成は特に限定されない。したがって、例えば、係止部材７０が直線運動ではなく、回転運動する構成であっても構わない。
【０１４５】
また、本実施形態においては、支持体２に係止部材７０が設けられ、透過部材保持枠５に被係止孔２２が設けられているが、これとは逆に、透過部材保持枠５に係止部材７０を設け、支持体２に被係止孔２２を設けても構わない。また、遊技盤保持枠６に被係止孔２２を設けるとともに、支持体２に係止部材７０を設けたり、あるいは遊技盤保持枠６に係止部材７０を設けるとともに、支持体２に被係止孔２２を設けたりしてもよい。この場合には、支持体２や遊技盤保持枠６に対する透過部材保持枠５の施錠を、別の機構を用いて行えばよい。
いずれにしても、支持体２および扉体３のいずれか一方に被係止孔２２が設けられ、いずれか他方に被係止孔２２に係止する係止部材７０が設けられればよい。
さらには、本実施形態においては、支持体２および扉体３を、矩形の囲繞空間を有する枠体で構成したが、これらは枠体に限らず、例えば板状の平面部材等で構成してもよい。
【０１４６】
また、本実施形態においては、連係始点検出スイッチ９４および連係終点検出スイッチ９５からの検出信号と、駆動モーターＭの回転方向とに基づいて、ＲＡＭ１０１ｃの連係過程フラグ記憶領域および非連係過程フラグ記憶領域にフラグをＯＮ／ＯＦＦすることにより、回転体９２（連係ピン９３）が連係過程または非連係過程のいずれにあるかを検出するようにしている。しかしながら、例えば、マイクロスイッチやフォトセンサ等を用いることにより、必要なときに回転体９２（連係ピン９３）の位置を検出することができるようにしてもよい。いずれにしても、本発明の回転体位置検出手段は、上記の構成に限定されることなく、必要に応じて回転体が連係過程または非連係過程のいずれにあるかを検出することができるものであればよい。
また、本実施形態においては、各種のスイッチを磁気センサやマイクロスイッチ等によって構成したが、各スイッチの構成は特に問わない。したがって、本発明の扉体状態検出手段も、マイクロスイッチに限らずフォトセンサ等、どのようなものを適用しても構わない。
【０１４７】
また、本実施形態においては、駆動モーターＭが正転方向および逆転方向の双方に回転可能な構成としたが、駆動モーターＭは正転方向にのみ回転するものであってもよい。いずれにしても、扉体３の開閉状態と回転体９２（連係ピン９３）の回転位置状況とに応じて、駆動モーターＭを所定の位置まで回転させたり、あるいはその回転を停止させたりするものであれば、その回転方向や停止位置等は特に限定されない。
また、本実施形態においては、原点検出スイッチ９６を設けたが、原点検出スイッチ９６は必須ではなく、例えば、連係終点検出スイッチ９５から検出信号が入力したときに駆動モーターＭを停止させるように制御しても構わない。
また、本実施形態においては、係止部材位置検出スイッチ９７を設けることとしたが、この係止部材位置検出スイッチ９７も必須ではない。
本発明は、回転体９２（連係ピン９３）が連係過程または非連係過程のいずれにあるかという情報と、扉体３が開放されているか閉じられているかという情報とに基づいて、駆動モーターＭを制御する点に最大の特徴がある。したがって、これら２つの情報に基づいて行われる処理以外の他の処理は必須ではない。例えば、図２７に示すように、扉体３が開放されており、回転体９２（連係ピン９３）が連係過程にある場合には、駆動モーターＭを逆転させるといった処理のみを行うものであってもよい。
【０１４８】
なお、本実施形態において、ＣＰＵ１０１ａが実行する施錠制御基板割込処理および施錠制御基板電源投入時処理のうち、主に駆動モーター正転コマンドまたは駆動モーター逆転コマンドをセットする処理が、本発明の駆動モーター制御手段に相当する。
また、本実施形態における連係始点検出スイッチ９４および連係終点検出スイッチ９５によって本発明の回転体位置検出手段が構成される。
また、本実施形態における扉体開閉検出スイッチ９８が本発明の扉体状態検出手段に相当する。
また、本実施形態において、ＣＰＵ１０１ａが実行する施錠制御基板電源投入時処理のうち、主にステップＳ７０２およびステップＳ７０３の処理が、本発明の電源復旧時判別手段に相当する。
【符号の説明】
【０１４９】
１        遊技機
２        支持体
３        扉体
２２      本発明の被係止部を構成する被係止孔
７０      係止部材
８２      本発明の鉤部を構成する鉤片
８４      ロック部材
９２      回転体
９４      連係始点検出スイッチ
９５      連係終点検出スイッチ
９８      扉体開閉検出スイッチ
１０１    施錠制御基板
１０１ａ  ＣＰＵ
１０１ｂ  ＲＯＭ
１０１ｃ  ＲＡＭ
Ｍ        駆動モーター
【図１】
0005396198.tif 000002
【図２】
0005396198.tif 000003
【図３】
0005396198.tif 000004
【図４】
0005396198.tif 000005
【図５】
0005396198.tif 000006
【図６】
0005396198.tif 000007
【図７】
0005396198.tif 000008
【図８】
0005396198.tif 000009
【図９】
0005396198.tif 000010
【図１０】
0005396198.tif 000011
【図１１】
0005396198.tif 000012
【図１２】
0005396198.tif 000013
【図１３】
0005396198.tif 000014
【図１４】
0005396198.tif 000015
【図１５】
0005396198.tif 000016
【図１６】
0005396198.tif 000017
【図１７】
0005396198.tif 000018
【図１８】
0005396198.tif 000019
【図１９】
0005396198.tif 000020
【図２０】
0005396198.tif 000021
【図２１】
0005396198.tif 000022
【図２２】
0005396198.tif 000023
【図２３】
0005396198.tif 000024
【図２４】
0005396198.tif 000025
【図２５】
0005396198.tif 000026
【図２６】
0005396198.tif 000027
【図２７】
0005396198.tif 000028
【図２８】
0005396198.tif 000029
【図２９】
0005396198.tif 000030
【図３０】
0005396198.tif 000031
【図３１】
0005396198.tif 000032
【図３２】
0005396198.tif 000033